(57)【要約】【課題】媒体を処理する際の利便性を向上させる。【解決手段】本発明は、媒体を載上するトレイと、トレイから媒体を取り込んで搬送する搬送部と、媒体のサイズを取得するサイズ取得部と、サイズ取得部により取得された媒体のサイズを所定の比較基準長と比較する比較部と、比較部によるサイズと比較基準長との比較結果に応じて、トレイに対する媒体の載上向きをガイドする媒体載上ガイドデータを出力するガイドデータ出力部とを設けることにより、トレイに媒体を搬送部で的確に搬送可能な載上向きで載上させて、トレイから搬送部に供給した媒体の搬送中にジャムが発生して媒体の処理が意図せずに中断すること、また搬送部からジャムを発生させた媒体を取り除かせる煩雑な作業を行わせることを未然に回避することができ、媒体を処理する際の利便性を向上させることができる。【選択図】図６
2017098786.tif 000002
【特許請求の範囲】
【請求項１】
媒体を載上するトレイと、
前記トレイから前記媒体を取り込んで搬送する搬送部と、
前記媒体のサイズを取得するサイズ取得部と、
前記サイズ取得部により取得された前記媒体の前記サイズを所定の比較基準長と比較する比較部と、
前記比較部による前記サイズと前記比較基準長との比較結果に応じて、前記トレイに対する前記媒体の載上向きをガイドする媒体載上ガイドデータを出力するガイドデータ出力部と
を具える媒体処理装置。
【請求項２】
前記トレイに設けられた所定の媒体センサと、
前記ガイドデータ出力部により前記媒体載上ガイドデータが出力された後、前記媒体の処理が指示されると、前記媒体センサを介して、前記トレイに前記媒体が載上されているか否かを検出する検出部と
を具え、
前記ガイドデータ出力部は、
前記媒体載上ガイドデータを出力した後、前記検出部により前記トレイに前記媒体が載上されていないことが検出されると、前記トレイに対する前記媒体の載上向きを確認するようにガイドする載上確認ガイドデータを出力する
請求項１に記載の媒体処理装置。
【請求項３】
前記サイズ取得部は、
前記媒体の前記サイズとしての縦辺の長さ及び横辺の長さを取得し、
前記比較部は、
前記サイズ取得部により取得された前記縦辺の長さ及び前記横辺の長さを前記比較基準長と比較し、
前記ガイドデータ出力部は、
前記比較部による前記縦辺の長さ及び前記横辺の長さと前記比較基準長との比較結果に応じて、前記媒体の前記縦辺の長さ及び前記横辺の長さの少なくとも一方が前記比較基準長よりも長い場合、前記トレイに前記媒体を前記比較基準長よりも長い前記縦辺又は前記横辺を、前記トレイから前記搬送部への前記媒体の供給方向と平行にする前記載上向きで載上するようにガイドする前記媒体載上ガイドデータを出力する
請求項１又は請求項２に記載の媒体処理装置。
【請求項４】
前記搬送部は、
複数のローラ対が順に配置されて前記媒体の搬送路を形成し、
前記比較部は、
前記縦辺の長さ及び横辺の長さを、前記搬送部による前記媒体の搬送方向の上流側の１の前記ローラ対から前記搬送方向の下流側で隣接する他の１の前記ローラ対までのローラ間搬送路長のうち最も長い当該ローラ間搬送路長以上の前記比較基準長と比較する
請求項３に記載の媒体処理装置。
【請求項５】
前記媒体の表面から画像を読み取る読取部と、
前記媒体を載上するガラス板と、
前記搬送部及び前記読取部を制御する制御部と
を具え、
前記サイズ取得部は、
前記媒体の前記サイズとしての縦辺の長さ及び横辺の長さを取得し、
前記比較部は、
前記サイズ取得部により取得された前記縦辺の長さ及び前記横辺の長さを前記比較基準長と比較し、
前記ガイドデータ出力部は、
前記比較部による前記縦辺の長さ及び前記横辺の長さと前記比較基準長との比較結果に応じて、前記媒体の前記縦辺の長さ及び前記横辺の長さの少なくとも一方が前記比較基準長よりも長い場合、前記トレイに前記媒体を前記比較基準長よりも長い前記縦辺又は前記横辺を、前記トレイから前記搬送部への前記媒体の供給方向と平行にする前記載上向きで載上するようにガイドする前記媒体載上ガイドデータを出力し、前記媒体の前記縦辺の長さ及び前記横辺の長さの両方が前記比較基準長よりも短い場合、前記ガラス板に前記媒体を載上するようにガイドする媒体載上ガイドデータを出力し、
前記制御部は、
前記トレイに前記媒体が載上された場合、前記搬送部を前記トレイから前記媒体を取り込んで搬送するように制御すると共に、前記読取部を前記搬送部が前記トレイから取り込んで搬送している前記媒体の表面から前記画像を読み取るように制御し、前記ガラス板に前記媒体が載上された場合、前記読取部を、前記ガラス板を介して前記媒体の表面から前記画像を読み取るように制御する
請求項１乃至請求項４の何れかに記載の画像読取装置。
【請求項６】
前記検出部は、
前記ガイドデータ出力部により前記媒体載上ガイドデータが出力された後、前記媒体の処理として前記画像の読み取りが指示された場合、前記媒体センサを介して、前記トレイに前記媒体が載上されているか否かを検出し、
前記制御部は、
前記画像の読み取りが指示された場合に前記検出部により、前記トレイに前記媒体が載上されていることが検出されると、前記搬送部を前記トレイから前記媒体を取り込んで搬送するように制御すると共に、前記読取部を前記搬送部が前記トレイから取り込んで搬送している前記媒体の表面から前記画像を読み取るように制御する
請求項５に記載の画像読取装置。
【請求項７】
前記ガイドデータ出力部は、
前記画像の読み取りが指示された場合に前記検出部により、前記トレイに前記媒体が載上されていないことが検出されると、前記トレイに対する前記媒体の載上向きを確認するようにガイドする載上確認ガイドデータを出力し、
前記検出部は、
前記ガイドデータ出力部により前記載上確認ガイドデータが出力された後、前記画像の読み取りが再び指示された場合、前記媒体センサを介して、前記トレイに前記媒体が載上されているか否かを検出し、
前記制御部は、
前記画像の読み取りが再び指示された場合に前記検出部により、前記トレイに前記媒体が載上されていることが検出されると、前記搬送部を前記トレイから前記媒体を取り込んで搬送するように制御すると共に、前記読取部を前記搬送部が前記トレイから取り込んで搬送している前記媒体の表面から前記画像を読み取るように制御し、前記トレイに前記媒体が載上されていないことが検出されると、前記読取部を、前記ガラス板を介して前記媒体の表面から前記画像を読み取るように制御する
請求項６に記載の画像読取装置。
【請求項８】
前記媒体の表面に画像を形成する画像生成部と、
前記搬送部及び前記画像形成部を制御する制御部と
を具え、
前記サイズ取得部は、
前記媒体の前記サイズとしての縦辺の長さ及び横辺の長さを取得し、
前記比較部は、
前記サイズ取得部により取得された前記縦辺の長さ及び前記横辺の長さを前記比較基準長と比較し、
前記ガイドデータ出力部は、
前記比較部による前記縦辺の長さ及び前記横辺の長さと前記比較基準長との比較結果に応じて、前記媒体の前記縦辺の長さ及び前記横辺の長さの少なくとも一方が前記比較基準長よりも長い場合、前記トレイに前記媒体を前記比較基準長よりも長い前記縦辺又は前記横辺を、前記トレイから前記搬送部への前記媒体の供給方向と平行にする前記載上向きで載上するようにガイドする前記媒体載上ガイドデータを出力し、前記媒体の前記縦辺の長さ及び前記横辺の長さの両方が前記比較基準長よりも短い場合、前記媒体に対する前記画像の形成を取り消すようにガイドする取消ガイドデータを出力し、
前記制御部は、
前記トレイに前記媒体が載上された場合、前記搬送部を前記トレイから前記媒体を取り込んで搬送するように制御すると共に、前記画像形成部を前記搬送部が前記トレイから取り込んで搬送している前記媒体の表面に前記画像を形成するように制御する
請求項１乃至請求項４の何れかに記載の画像形成装置。
【請求項９】
前記検出部は、
前記ガイドデータ出力部により前記媒体載上ガイドデータが出力された後、前記媒体の処理として前記画像の形成が指示された場合、前記媒体センサを介して、前記トレイに前記媒体が載上されているか否かを検出し、
前記制御部は、
前記画像の読み取りが指示された場合に前記検出部により、前記トレイに前記媒体が載上されていることが検出されると、前記搬送部を前記トレイから前記媒体を取り込んで搬送するように制御すると共に、前記画像形成部を前記搬送部が前記トレイから取り込んで搬送している前記媒体の表面に前記画像を形成するように制御する
請求項８に記載の画像形成装置。
【請求項１０】
前記ガイドデータ出力部は、
前記画像の形成が指示された場合に前記検出部により、前記トレイに前記媒体が載上されていないことが検出されると、前記トレイに対する前記媒体の載上向きを確認するようにガイドする載上確認ガイドデータを出力し、
前記制御部は、
前記ガイドデータ出力部により前記載上確認ガイドデータが出力された後、前記画像の読み取りが再び指示されると、前記搬送部を前記トレイから前記媒体を取り込んで搬送するように制御すると共に、前記画像形成部を前記搬送部が前記トレイから取り込んで搬送している前記媒体の表面に前記画像を形成するように制御する
請求項９に記載の画像形成装置。
【請求項１１】
媒体のサイズを取得するサイズ取得ステップと、
前記媒体の前記サイズを所定の比較基準長と比較する比較ステップと、
前記サイズと前記比較基準長との比較結果に応じて、搬送部へ前記媒体を搬送用に供給するトレイに対する前記媒体の載上向きをガイドするガイドステップと
を具える媒体処理方法。
【発明の詳細な説明】
【技術分野】
【０００１】
本発明は媒体処理装置、画像読取装置、画像形成装置及び媒体処理方法に関し、例えば複合機に適用して好適なものである。
【背景技術】
【０００２】
従来の複合機は、スキャナ部において原稿トレイに載上された媒体をＡＤＦ（Auto  Document  Feeder）を介して内部に取り込み、読取センサにより媒体表面の原稿画像を読み取っていた（例えば、特許文献１参照）。
【先行技術文献】
【特許文献】
【０００３】
【特許文献１】特開２０１１−６６７０７公報（第６頁、図１）
【発明の概要】
【発明が解決しようとする課題】
【０００４】
ところが従来の複合機は、予め選定された一部の定形の媒体を処理するように構成され、他の定形の媒体や定形外の媒体を処理する際の利便性が低いという問題があった。
【０００５】
本発明は以上の点を考慮してなされたもので、媒体を処理する際の利便性を向上し得る媒体処理装置、画像読取装置、画像形成装置及び媒体処理方法を提案しようとするものである。
【課題を解決するための手段】
【０００６】
かかる課題を解決するため本発明においては、媒体を載上するトレイと、トレイから媒体を取り込んで搬送する搬送部と、媒体のサイズを取得するサイズ取得部と、サイズ取得部により取得された媒体のサイズを所定の比較基準長と比較する比較部と、比較部によるサイズと比較基準長との比較結果に応じて、トレイに対する媒体の載上向きをガイドする媒体載上ガイドデータを出力するガイドデータ出力部とを設ける。
【０００７】
従って本発明では、トレイに媒体を搬送部で的確に搬送可能な載上向きで載上させることができ、その結果、トレイから搬送部に供給した媒体の搬送中にジャムが発生して媒体の処理が意図せずに中断すること、また搬送部からジャムを発生させた媒体を取り除かせる煩雑な作業を行わせることを未然に回避することができる。
【発明の効果】
【０００８】
本発明によれば、媒体を載上するトレイと、トレイから媒体を取り込んで搬送する搬送部と、媒体のサイズを取得するサイズ取得部と、サイズ取得部により取得された媒体のサイズを所定の比較基準長と比較する比較部と、比較部によるサイズと比較基準長との比較結果に応じて、トレイに対する媒体の載上向きをガイドする媒体載上ガイドデータを出力するガイドデータ出力部とを設けることにより、トレイに媒体を搬送部で的確に搬送可能な載上向きで載上させることができ、その結果、トレイから搬送部に供給した媒体の搬送中にジャムが発生して媒体の処理が意図せずに中断すること、また搬送部からジャムを発生させた媒体を取り除かせる煩雑な作業を行わせることを未然に回避することができ、かくして媒体を処理する際の利便性を向上し得る媒体処理装置、画像読取装置、画像形成装置及び媒体処理方法を実現することができる。
【図面の簡単な説明】
【０００９】
【図１】第１の実施の形態による複合機の構成を示す略線的正面図である。
【図２】スキャナ部の内部構成を示す略線的断面図である。
【図３】複合機の回路構成を示すブロック図である。
【図４】第１原稿載上ガイド画面の構成を示す略線図である。
【図５】載上原稿センサによる定形外原稿の検出の説明に供する略線的上面図である。
【図６】第２原稿載上ガイド画面の構成を示す略線図である。
【図７】第３原稿載上ガイド画面の構成を示す略線図である。
【図８】原稿載上ガイド処理手順を示すフローチャートである。
【図９】第２の実施の形態による複合機の構成を示す略線的断面図である。
【図１０】複合機の回路構成を示すブロック図である。
【図１１】記録紙載上ガイド処理手順を示すフローチャートである。
【発明を実施するための形態】
【００１０】
以下図面を用いて、発明を実施するための最良の形態（以下、これを実施の形態とも呼ぶ）について説明する。なお、説明は以下の順序で行う。
（１）第１の実施の形態
（２）第２の実施の形態
（３）他の実施の形態
【００１１】
（１）第１の実施の形態
（１−１）複合機の構成
図１において、１は全体として第１の実施の形態による複合機を示す。複合機１は、図１の紙面手前側である前方向の端面が正面となるプリンタ部２が設けられている。また複合機１は、プリンタ部２上に左右一対の支持部３Ａ、３Ｂを介してスキャナ部４が設けられている。プリンタ部２は、内部に、画像形成用の媒体である例えば記録紙の表面に印刷画像を形成する画像形成部や当該記録紙を画像形成用に搬送する記録紙搬送部等が設けられている。またスキャナ部４は、原稿媒体５から原稿画像を読み取る上面が平坦な偏平状の画像読取部６に後端のヒンジ部（図示せず）を介して自動原稿供給部７（すなわちＡＤＦ（Auto  Document  Feeder））が開閉可能に設けられている。
【００１２】
図１と共に図２に示すように、画像読取部６は、上面の左端部に、前後に長い長方形状の第１開口部が形成されている。また画像読取部６は、上面の右端部から第１開口部の右縁近傍までに亘り、当該第１開口部と前後の長さがほぼ等しいものの左右に長い長方形状の第２開口部が形成されている。さらに画像読取部６の上面には、第１開口部を塞ぐ前後に長い長方形状の透明な第１ガラス板１０が設けられると共に、第２開口部を塞ぐ左右に長い長方形状の第２ガラス板１１が設けられている。
【００１３】
そして画像読取部６は、内部に所定のセンサ移動部を介して前後に細長いイメージセンサ１２が、第１ガラス板１０の真下となる読取基準位置から第２ガラス板１１の右縁の真下近傍の所定位置までの移動範囲で左右に移動可能に設けられている。これにより画像読取部６の第２ガラス板１１は、イメージセンサ１２による原稿画像の読取用に原稿媒体５を載上させるフラットベッドになっている。また自動原稿供給部７は、画像読取部６に対して閉じられた際、当該画像読取部６の上面全体を覆う読取部カバー１５が設けられている。これにより読取部カバー１５は、フラットベッド（すなわち第２ガラス板１１）に原稿媒体５が載上されて画像読取部６に対して閉じられた場合、フラットベッドに原稿媒体５を位置ずれしないように押さえ付ける原稿押えになっている。
【００１４】
また自動原稿供給部７は、読取部カバー１５の左端部に原稿搬送部１６が設けられると共に、当該原稿搬送部１６の右側面の上端寄りに、原稿媒体５を載上する原稿トレイ１７が突設されている。原稿トレイ１７は、原稿載上面において前端部及び後端部の所定の対向位置に、原稿載上範囲の前後の幅を、原稿媒体５の原稿サイズに合わせて前後から狭め、また前後に広げて規定する一対の原稿ガイド１８が前後方向へ互いに連動して変位可能に設けられている。これにより原稿トレイ１７は、原稿載上面に１又は複数の原稿媒体５が載上された場合、一対の原稿ガイド１８の位置を調整させて、１又は複数の原稿媒体５を原稿載上面の前後方向の中央部で揃え、一対の辺を原稿トレイ１７から原稿搬送部１６への供給方向ａ１とほぼ平行にして位置させることができる。なお原稿トレイ１７は、一対の原稿ガイド１８に、互いの対向面間の距離として原稿媒体５の前後方向の幅を検出するための原稿幅センサが設けられている。
【００１５】
原稿搬送部１６の内部には、原稿トレイ１７から原稿媒体５を１枚ずつ供給する供給ローラ１９が、当該原稿トレイ１７の媒体載上面において供給方向ａ１の下流側となるトレイ先端１７Ａ近接に配置されている。また原稿搬送部１６の内部には、原稿トレイ１７のトレイ先端１７Ａ近傍から右側面の下端寄り近傍までに亘り、複数の搬送ローラ対２０乃至２４が順に配置されると共に、複数の搬送ガイド（図示せず）も配置されている。因みに原稿搬送部１６の内部には、供給ローラ１９や、複数の搬送ローラ対２０乃至２４を駆動するモータ（図示せず）も設けられている。
【００１６】
これにより原稿搬送部１６は、内部に複数の搬送ローラ対２０乃至２４及び複数の搬送ガイドによって、原稿トレイ１７から繰り出した原稿媒体５を、内部の左側へ搬送した後、右下側へ折り返して第１ガラス板１０の表面上を通過させ、右側面の下端寄りの原稿排出口（図示せず）まで搬送して外部に排出する搬送路２５を形成している。よって原稿搬送部１６は、原稿トレイ１７に載上された原稿媒体５を供給ローラ１９によって取り込み、搬送路２５を介して読取基準位置でのイメージセンサ１２による原稿画像の読取用に第１ガラス板１０上を通過させるように搬送して原稿排出口から排出することができる。なお自動原稿供給部７は、読取部カバー１５の上面において原稿搬送部１６の右側の部分が、原稿排出口から排出された原稿媒体５を受け取るスタッカ１５Ａになっている。
【００１７】
ところでスキャナ部４は、定形の媒体（以下、これを定形媒体とも呼ぶ）や定形外の媒体（以下、これを定形外媒体とも呼ぶ）である原稿媒体５の表面から原稿画像が読取可能なように構成されている。因みに定形媒体は、一般に広く普及しているＡ４サイズやＢ５サイズ、Ａ６サイズ等の種々のサイズの長方形の媒体である。また定形外媒体は、定形媒体とはサイズの異なる長方形や正方向の媒体である。なお以下の説明では、定形媒体である原稿媒体５を特に定形原稿５とも呼び、定形外媒体である原稿媒体５を特に定形外原稿５とも呼ぶ。また以下の説明では、定形外媒体において１の頂点で直角を成して接する２辺（すなわち長辺及び短辺や同一の長さの２辺）のうちの一方の辺と平行な方向を縦方向とも呼び、他方の辺と平行な方向を横方向とも呼ぶ。さらに以下の説明では、定形外媒体において縦方向と平行な一対の辺をそれぞれ縦辺とも呼び、横方向と平行な一対の辺をそれぞれ横辺とも呼ぶ。
【００１８】
スキャナ部４は、フラットベッドである第２ガラス板１１のサイズが、比較的大きい例えばＡ４サイズ又はＡ３サイズ（以下、これを第１サイズとも呼ぶ）の定形媒体（以下、これを特に第１サイズ定形媒体とも呼ぶ）とほぼ等しい所定のサイズに選定されている。またスキャナ部４は、第１ガラス板１０の前後の長さ及びイメージセンサ１２の前後の長さが、第１サイズ定形媒体の短辺の長さとほぼ等しい所定の長さに選定されている。さらにスキャナ部４は、原稿トレイ１７において一対の原稿ガイド１８により原稿載上範囲の前後の幅を、第１サイズ定形媒体の短辺の長さとほぼ等しい所定の幅から、これよりも狭い数十［ｍｍ］のような所定の幅まで可変することができる。これによりスキャナ部４は、イメージセンサ１２により第１ガラス板１０やフラットベッドを介して第１サイズ以下の種々のサイズの定形原稿５や定形外原稿５から原稿画像を読み取ることができる。
【００１９】
またスキャナ部４は、第１サイズよりも小さい例えばＡ６サイズ（以下、これを第２サイズとも呼ぶ）の定形媒体（以下、これを特に第２サイズ定形媒体とも呼ぶ）の短辺の長さに応じて、原稿搬送部１６に複数の搬送ローラ対２０乃至２４が搬送方向に沿って順に配置されている。すなわち原稿搬送部１６は、原稿媒体５の搬送方向の上流側の１の搬送ローラ対２０乃至２３から、これと搬送方向の下流側で隣接する他の１の搬送ローラ対２１乃至２４までのローラ間搬送路長をそれぞれ第２サイズ定形媒体の短辺よりも短い長さにしている。なお以下の説明では、原稿搬送部１６における搬送路２５の個々のローラ間搬送路長のうち最も長いローラ間搬送路長Ｌ１を、特に第１ローラ間最搬送路長Ｌ１とも呼ぶ。
【００２０】
これにより原稿搬送部１６は、第１サイズから第２サイズまでの定形原稿５については、何れも当該定形原稿５を搬送方向の上流側の互い逆回転する１の搬送ローラ対２０乃至２３の間に挟み込んで送りながら、搬送方向の下流側で隣接して互い逆回転する他の１の搬送ローラ対２１乃至２４の間に挟み込み始めるようにして搬送することができる。すなわち原稿搬送部１６は、定形原稿５を複数の搬送ローラ対２０乃至２４により規定の搬送力を途切れることなく与えて的確に搬送することができる。因みに原稿搬送部１６は、定形原稿５のうち原稿トレイ１７に短辺及び長辺の何れを前後方向と平行にしても載上し得る一部の定形原稿５については、当該定形原稿５を短辺及び長辺の何れを搬送方向の下流側に向ける搬送向きでも、同様に複数の搬送ローラ対２０乃至２４によって規定の搬送力を途切れることなく与えて的確に搬送することができる。
【００２１】
また原稿搬送部１６は、定形外原稿５であっても、縦辺及び横辺の少なくとも一方の長さが第１ローラ間最搬送路長Ｌ１以上であれば、定形外原稿５を当該第１ローラ間最搬送路長Ｌ１以上の縦辺又は横辺を搬送方向と平行にすることで、同様に複数の搬送ローラ対２０乃至２４によって規定の搬送力を途切れることなく与えて的確に搬送することができる。ただし原稿搬送部１６は、定形外原稿５の縦辺及び横辺の少なくとも一方の長さが第１ローラ間最搬送路長Ｌ１よりも短い場合、定形外原稿５を当該短い縦辺又は横辺を搬送方向と平行にすると、搬送方向の下流側で互い逆回転する他の１の搬送ローラ対２１乃至２４の間に挟み込む前に、搬送方向の上流側で隣接して互い逆回転する１の搬送ローラ対２０乃至２３の間から完全に送り出してしまう。すなわち原稿搬送部１６は、この場合、定形外原稿５を搬送路２５に取り込んでも、複数の搬送ローラ対２０乃至２４によって規定の搬送力を連続的に与えることができず、その結果、搬送路２５に定形外原稿５が詰まる、いわゆるジャムが発生する可能性がある。
【００２２】
よってスキャナ部４では、定形外原稿５からの原稿画像の読み取りに自動原稿供給部７を使用する場合、縦辺及び横辺の少なくとも一方の長さが第１ローラ間最搬送路長Ｌ１以上の定形外原稿５を、原稿搬送部１６により当該第１ローラ間最搬送路長Ｌ１以上の縦辺又は横辺を搬送方向と平行にする搬送向きで搬送する必要がある。そしてスキャナ部４では、原稿トレイ１７に定形外原稿５が第１ローラ間最搬送路長Ｌ１以上の縦辺又は横辺を供給方向ａ１と平行にする載上向きで載上されれば、当該定形外原稿５をそのまま原稿搬送部１６に取り込み、第１ローラ間最搬送路長Ｌ１以上の縦辺又は横辺を搬送方向と平行にする搬送向きで搬送することができる。
【００２３】
このため原稿トレイ１７には、トレイ先端１７Ａよりもトレイ後端１７Ｂ側（すなわちトレイ先端１７Ａよりも供給方向ａ１の上流側）の所定の位置に、載上された定形外原稿５を検出するための載上原稿センサ２７が設けられている。そして原稿トレイ１７では、トレイ先端１７Ａから載上原稿センサ２７による定形外原稿５の原稿検出位置までの距離Ｓ１が例えば第１ローラ間最搬送路長Ｌ１に選定されている。これによりスキャナ部４は、定形外原稿５からの原稿画像の読み取りに自動原稿供給部７を使用する場合、載上原稿センサ２７により、原稿トレイ１７に縦辺及び横辺の少なくとも一方の長さが第１ローラ間最搬送路長Ｌ１以上の定形外原稿５が、当該第１ローラ間最搬送路長Ｌ１以上の縦辺又は横辺を供給方向ａ１と平行にする載上向きで載上されているか否かを検出可能にしている。
【００２４】
なお原稿トレイ１７では、トレイ先端１７Ａから原稿検出位置までの距離Ｓ１を第１ローラ間最搬送路長Ｌ１とせずに、当該第１ローラ間最搬送路長Ｌ１よりも長い所定の距離に選定することもできる。そしてスキャナ部４では、原稿トレイ１７の媒体載上面に一方の横辺又は縦辺をトレイ先端１７Ａにほぼ一致させて載上された定形外原稿５を、当該トレイ先端１７Ａから第１ローラ間最搬送路長Ｌ１以上離れた載上原稿センサ２７を介して検出し得た場合、媒体載上面に定形外原稿５が第１ローラ間最搬送路長Ｌ１以上の縦辺又は横辺を供給方向ａ１と平行にする載上向きで載上されているため、原稿搬送部１６により当該定形外原稿５を的確に搬送することができる。
【００２５】
（１−２）複合機のブロック図
次いで図３を用いて複合機１のブロック図について説明する。複合機１は、マイクロプロセッサ又はＣＰＵ（Central  Processing  Unit）である制御部３０を有している。制御部３０には、バス３１を介してハードディスクドライブ又はＲＯＭ（Read  Only  Memory）である記憶部３２と、当該制御部３０のワークエリアであるＲＡＭ（Random  Access  Memory）３３とが接続されている。また制御部３０には、バス３１を介して、例えばスキャナ部４の前端部に設けられたオペレーションパネル３４も接続されている。オペレーションパネル３４は、種々の画面の表示及びタッチ操作が可能な液晶ディスプレイのようなタッチスクリーン３５と、押下操作が可能な読取キーやファンクションキー、画像形成キー、取消キー、テンキー等の複数の操作キー３６とを有している。
【００２６】
さらに制御部３０には、バス３１を介して上述のイメージセンサ１２、センサ移動部３７、原稿搬送部１６、載上原稿センサ２７、原稿幅センサ３８、画像形成部３９、記録紙搬送部４０も接続されている。さらに制御部３０には、バス３１を介して、外部のパーソナルコンピュータのような上位装置（図示せず）と通信するためのネットワークインタフェース４１も接続されている。制御部３０は、記憶部３２に予め記憶した基本プログラムや原稿載上ガイドプログラム等の各種プログラムをＲＡＭ３３に適宜読み出して展開する。そして制御部３０は、ＲＡＭ３３に展開した各種プログラムに従って複合機１全体を統括制御すると共に、所定の演算処理や、ユーザによるオペレーションパネル３４の操作（すなわちタッチスクリーン３５に対するタッチ操作及び複数の操作キー３６に対する押下操作）に応じた各種処理を実行する。
【００２７】
これにより制御部３０は、原稿媒体５（すなわち定形原稿５や定形外原稿５）が原稿トレイ１７に載上された状態でユーザにより読取キーが押下操作されて原稿画像の読み取りが指示されると、原稿搬送部１６を駆動制御する。これにより制御部３０は、スキャナ部４において原稿トレイ１７上から原稿媒体５を供給ローラ１９によって繰り出し、搬送路２５を介して搬送しながら、読取基準位置に停止しているイメージセンサ１２により第１ガラス板１０を介して原稿媒体５の表面の原稿画像を光学的に読み取った後、原稿排出口からスタッカ１５Ａへ排出する。
【００２８】
また制御部３０は、原稿媒体５（すなわち定形原稿５や定形外原稿５）がフラットベッド（すなわち第２ガラス板１１）に載上された状態でユーザにより読取キーが押下操作されて原稿画像の読み取りが指示されると、センサ移動部３７を駆動制御する。よって制御部３０は、スキャナ部４においてイメージセンサ１２を読取基準位置から右側へ移動させながら、当該イメージセンサ１２によりフラットベッドを介して原稿媒体５の表面の原稿画像を光学的に読み取る。
【００２９】
そして制御部３０は、このように原稿媒体５の表面から原稿画像を読み取ると、当該原稿画像の原稿画像データを生成すると共に、例えば原稿画像データに基づき画像形成部３９を駆動制御する。これにより制御部３０は、画像形成部３９により定形媒体である記録紙の表面に原稿画像を印刷画像として形成する。因みに制御部３０は、原稿媒体５から原稿画像を読み取って原稿画像データを生成した場合、上位装置の指示に応じて当該原稿画像データをネットワークインタフェース４１から上位装置へ送信することもできる。
【００３０】
実際に制御部３０は、ユーザが原稿画像の読み取りに定形外原稿５を用いる場合、当該ユーザに例えばファンクションキーを介して定形外原稿５から原稿画像を読み取る定形外原稿読取機能を選択させる。そして制御部３０は、ユーザにより定形外原稿読取機能が選択されると、記憶部３２から予め記憶している定形外原稿サイズ入力画面データを読み出してタッチスクリーン３５に送出することにより定形外原稿サイズ入力画面（図示せず）を表示する。これにより制御部３０は、ユーザにテンキーを介して定形外原稿サイズ入力画面上で、このとき原稿画像の読み取りに用いられる定形外原稿５の原稿サイズとしての縦辺の長さ及び横辺の長さを入力させる。
【００３１】
そして制御部３０は、記憶部３２に予め例えば第１ローラ間最搬送路長Ｌ１と同じ長さである第１比較基準長を示す第１比較基準長データを記憶している。なお第１比較基準長は、第１ローラ間最搬送路長Ｌ１より長い所定の長さに設定することもできる。よって制御部３０は、記憶部３２から第１比較基準長データを読み出し、ユーザにより入力された縦辺の長さ及び横辺の長さを、当該第１比較基準長データが示す第１比較基準長と順に比較する。その結果、制御部３０は、縦辺の長さ及び横辺の長さが何れも第１比較基準長以上であることを検出すると、記憶部３２から予め記憶している第１原稿載上ガイド画面データを読み出す。そして制御部３０は、第１原稿載上ガイド画面データをタッチスクリーン３５に送出して図４に示すような第１原稿載上ガイド画面４４を表示する。第１原稿載上ガイド画面には、例えば「原稿トレイに原稿を、何れかの辺を供給方向と平行にする向きで載せた後、読取キーを押して下さい」というガイド文４４Ａが表示されている。これにより制御部３０は、タッチスクリーン３５に表示した第１原稿載上ガイド画面４４を介してユーザに、原稿トレイ１７に定形外原稿５を搬送可能な載上向きで載上した後、読取キーを押下操作して原稿画像の読み取りを指示するようにガイドする。
【００３２】
ところで図５（Ａ）に示すように、載上原稿センサ２７は、原稿トレイ１７の原稿載上面に縦辺及び横辺の少なくとも一方が第１ローラ間最搬送路長Ｌ１以上である定形外原稿５Ａが、当該第１ローラ間最搬送路長Ｌ１以上の縦辺又は横辺を供給方向ａ１と平行にする載上向きで載上されると、原稿載上面における原稿読取位置が定形外原稿５Ａによって覆われる。これに対して図５（Ｂ）に示すように、載上原稿センサ２７は、原稿トレイ１７の原稿載上面に縦辺及び横辺の少なくとも一方が第１ローラ間最搬送路長Ｌ１よりも短い定形外原稿５Ｂが、当該第１ローラ間最搬送路長Ｌ１よりも短い縦辺又は横辺を供給方向ａ１と平行にする載上向きで載上されると、原稿載上面における原稿読取位置が定形外原稿５Ｂによって覆われない。
【００３３】
そして制御部３０は、ユーザにより定形外原稿読取機能が選択されると、載上原稿センサ２７を動作させている。これにより載上原稿センサ２７は、動作中、図５（Ａ）に示したように原稿トレイ１７に載上された定形外原稿５によって原稿読取位置が覆われると、当該原稿トレイ１７に定形外原稿５が原稿搬送部１６によって搬送可能な載上向きで載上されていることを示す例えば論理「Ｈ」レベルの媒体検出信号を制御部３０に送出する。これに対して載上原稿センサ２７は、動作中、図５（Ｂ）に示したように原稿トレイ１７に載上された定形外原稿５によって原稿読取位置が覆われないと、当該原稿トレイ１７に定形外原稿５が原稿搬送部１６によって搬送可能な載上向きでは載上されていないことを示す例えば論理「Ｌ」レベルの媒体不検出信号を制御部３０に送出する。因みに載上原稿センサ２７は、特に図示しないが、動作中、原稿トレイ１７に定形外原稿５が載上されていない場合も、原稿読取位置が当該定形外原稿５によって覆われないため媒体不検出信号を制御部３０に送出する。
【００３４】
よって制御部３０は、第１原稿載上ガイド画面４４の表示に応じて、ユーザにより読取キーが押下操作されて原稿画像の読み取りが指示されると、載上原稿センサ２７を介して、原稿トレイ１７に定形外原稿５が搬送可能な載上向きで載上されているか否かを検出する。この際、制御部３０は、載上原稿センサ２７から媒体検出信号が与えられていると、これに応じて、原稿トレイ１７に定形外原稿５が搬送可能な載上向きで載上されていることを検出する。これにより制御部３０は、上述と同様に原稿搬送部１６を駆動制御して、定形外原稿５を、搬送路２５を介して搬送しながらイメージセンサ１２により当該定形外原稿５から原稿画像を光学的に読み取った後、原稿排出口からスタッカ１５Ａへ排出する。
【００３５】
これに対して制御部３０は、載上原稿センサ２７から媒体不検出信号が与えられていると、これに応じて原稿トレイ１７に定形外原稿５が載上されていないことを検出する。この際、制御部３０は、記憶部３２から予め記憶している第１載上確認ガイド画面データを読み出し、タッチスクリーン３５に送出して第１載上確認ガイド画面（図示せず）を表示する。第１載上確認ガイド画面には、例えば「原稿トレイに原稿が載っていませんが、読み取りを開始しますか  よろしければ再度、読取キーを押してください」というガイド文が表示されている。これにより制御部３０は、タッチスクリーン３５に表示した第１載上確認ガイド画面を介してユーザに、原稿トレイ１７に定形外原稿５を指定した載上向きで載上した後、読取キーを再度、押下操作するようにガイドする。
【００３６】
そして制御部３０は、ユーザにより読取キーが再び押下操作されて原稿画像の読み取りが指示されると、このときも載上原稿センサ２７を介して、原稿トレイ１７に定形外原稿５が搬送可能な載上向きで載上されているか否かを検出する。この場合、制御部３０は、原稿トレイ１７に載上し忘れていた定形外原稿５が搬送可能な載上向きで載上されたことを検出する（すなわち載上原稿センサ２７から媒体検出信号が与えられる）と、上述と同様に原稿搬送部１６を駆動制御して、定形外原稿５を、搬送路２５を介して搬送しながらイメージセンサ１２により当該定形外原稿５から原稿画像を光学的に読み取った後、原稿排出口からスタッカ１５Ａへ排出する。
【００３７】
ただし制御部３０は、ユーザにより原稿画像の読み取りが再度指示されても、原稿トレイ１７に定形外原稿５が載上されていないことを検出する（すなわち載上原稿センサ２７から媒体不検出信号が与えられている）と、その定形外原稿５が原稿トレイ１７ではなくフラットベッドに載上されていると判断する。よって制御部３０は、上述と同様にセンサ移動部３７を駆動制御して、イメージセンサ１２を読取基準位置から右側へ移動させながらフラットベッドを介して定形外原稿５から原稿画像を光学的に読み取る。
【００３８】
また制御部３０は、定形外原稿５の縦辺の長さ及び横辺の長さを第１比較基準長と順に比較した結果、当該縦辺の長さ及び横辺の長さの一方のみが第１比較基準長以上であることを検出すると、記憶部３２から予め記憶している第２原稿載上ガイド画面データを読み出す。そして制御部３０は、第２原稿載上ガイド画面データをタッチスクリーン３５に送出して図６に示すような第２原稿載上ガイド画面４５を表示する。
【００３９】
第２原稿載上ガイド画面４５には、例えば「原稿トレイに原稿を、長辺を供給方向と平行にする向きで載せた後、読取キーを押してください」というガイド文４５Ａと共に、原稿トレイ１７に対する定形外原稿５の載せ方をガイドするガイド画像４５Ｂが表示されている。因みに第２原稿載上ガイド画面４５には、例えば「又は、フラットベッドに原稿を載せた後、読取キーを押してください」というガイド文４５Ｃも表示されている。これにより制御部３０は、タッチスクリーン３５に表示した第２原稿載上ガイド画面４５を介してユーザに、原稿トレイ１７に定形外原稿５を搬送可能な載上向きで載上した後、読取キーを押下操作するようにガイドする。また制御部３０は、第２原稿載上ガイド画面４５を介してユーザに、原稿画像の読み取りに自動原稿供給部７を使用しない場合はフラットベッドに定形外原稿５を載上した後、読取キーを押下操作するようにもガイドする。
【００４０】
そのうえで制御部３０は、ユーザにより読取キーが押下操作されて原稿画像の読み取りが指示されると、上述と同様に載上原稿センサ２７を介して、原稿トレイ１７に定形外原稿５が搬送可能な載上向きで載上されているか否かを検出する。この際、制御部３０は、原稿トレイ１７に定形外原稿５が搬送可能な載上向きで載上されていることを検出する（すなわち載上原稿センサ２７から媒体検出信号が与えられている）と、上述と同様に原稿搬送部１６を駆動制御して、定形外原稿５を、搬送路２５を介して搬送しながらイメージセンサ１２により当該定形外原稿５から原稿画像を光学的に読み取った後、原稿排出口からスタッカ１５Ａへ排出する。
【００４１】
これに対して制御部３０は、原稿トレイ１７に定形外原稿５が搬送可能な載上向きで載上されていないことを検出する（すなわち載上原稿センサ２７から媒体不検出信号が与えられている）と、記憶部３２から予め記憶している第２載上確認ガイド画面データを読み出し、タッチスクリーン３５に送出して第２載上確認ガイド画面（図示せず）を表示する。第２載上確認ガイド画面には、例えば「原稿トレイに原稿が載っていないか、ＡＤＦでは給紙できない向きで載っています。原稿を確認のうえ、再度、読取キーを押してください」というガイド文が表示されている。これにより制御部３０は、タッチスクリーン３５に表示した第２載上確認ガイド画面を介してユーザに、原稿トレイ１７に定形外原稿５を指定した載上向きで載上し直した後、読取キーを再度、押下操作するようにガイドする。
【００４２】
そして制御部３０は、ユーザにより読取キーが再び押下操作されて原稿画像の読み取りが指示されると、このときも載上原稿センサ２７を介して、原稿トレイ１７に定形外原稿５が搬送可能な載上向きで載上されているか否かを検出する。この場合、制御部３０は、原稿トレイ１７に定形外原稿５が搬送可能な載上向きで載上され直したことを検出する（すなわち載上原稿センサ２７から媒体検出信号が与えられる）と、上述と同様に原稿搬送部１６を駆動制御して、定形外原稿５を、搬送路２５を介して搬送しながらイメージセンサ１２により当該定形外原稿５から原稿画像を光学的に読み取った後、原稿排出口からスタッカ１５Ａへ排出する。
【００４３】
ただし制御部３０は、ユーザにより原稿画像の読み取りが再度指示されても、原稿トレイ１７に定形外原稿５が搬送可能な載上向きで載上されていないことを検出する（すなわち載上原稿センサ２７から媒体不検出信号が与えられている）と、定形外原稿５が原稿トレイ１７ではなくフラットベッドに載上されていると判断する。よって制御部３０は、上述と同様にセンサ移動部３７を駆動制御して、イメージセンサ１２を読取基準位置から右側へ移動させながらフラットベッドを介して定形外原稿５から原稿画像を光学的に読み取る。
【００４４】
さらに制御部３０は、定形外原稿５の縦辺の長さ及び横辺の長さを第１比較基準長と順に比較した結果、当該縦辺の長さ及び横辺の長さの両方が第１比較基準長より短いことを検出すると、記憶部３２から予め記憶している第３原稿載上ガイド画面データを読み出す。そして制御部３０は、第３原稿載上ガイド画面データをタッチスクリーン３５に送出して図７に示すような第３原稿載上ガイド画面４６を表示する。
【００４５】
第３原稿載上ガイド画面４６には、例えば「ＡＤＦでは送れない原稿です  フラットベッドに原稿を載せた後、読取キーを押してください」というガイド文４６Ａが表示されている。これにより制御部３０は、タッチスクリーン３５に表示した第３原稿載上ガイド画面４６を介してユーザに、フラットベッドに定形外原稿５を載上した後、読取キーを押下操作するようにガイドする。そして制御部３０は、ユーザにより読取キーが押下操作されて原稿画像の読み取りが指示されると、この際には載上原稿センサ２７を介して原稿トレイ１７に定形外原稿５が載上されていないことを検出する。
【００４６】
すなわち制御部３０は、このとき原稿トレイ１７に定形外原稿５が載上されていないと、載上原稿センサ２７から媒体不検出信号が与えられるため、原稿トレイ１７に定形外原稿５が載上されていないを検出することができる。ただし制御部３０は、原稿トレイ１７に定形外原稿５が誤って載上されていても、その原稿サイズが小さいために、上述したように載上原稿センサ２７から媒体不検出信号が与えられ、原稿トレイ１７に定形外原稿５が載上されていないと検出することになる。
【００４７】
このため制御部３０は、原稿トレイ１７に定形外原稿５が載上されていないことを検出すると、記憶部３２から予め記憶している第３載上確認ガイド画面データを読み出し、タッチスクリーン３５に送出して第３載上確認ガイド画面（図示せず）を表示する。第３載上確認ガイド画面には、例えば「フラットベッドに原稿が載っていることを確認して、再度、読取キーを押してください」というガイド文が表示されている。これにより制御部３０は、タッチスクリーン３５に表示した第３載上確認ガイド画面を介してユーザに、フラットベッドに定形外原稿５を載上しているか確認した後、読取キーを再度、押下操作するようにガイドする。
【００４８】
そして制御部３０は、ユーザにより読取キーが再び押下操作されて原稿画像の読み取りが指示されると、載上原稿センサ２７を介して原稿トレイ１７に定形外原稿５が載上されていないことを確認して、フラットベッドに定形外原稿５が載上されていると判断する。これにより制御部３０は、上述と同様にセンサ移動部３７を駆動制御して、イメージセンサ１２を読取基準位置から右側へ移動させながらフラットベッドを介して定形外原稿５から原稿画像を光学的に読み取る。
【００４９】
このようにして制御部３０は、定形外原稿５の原稿サイズに応じてユーザに原稿トレイ１７に対する定形外原稿５の載上向きをガイドすることで、当該原稿トレイ１７から供給する定形外原稿５を、搬送路２５を介して的確に搬送しながら原稿画像を読み取ることができる。また制御部３０は、定形外原稿５の原稿サイズが比較的小さい場合は、ユーザに原稿トレイ１７ではなくフラットベッドに定形外原稿５を載上するようにガイドし、当該フラットベッドを介して原稿画像を読み取ることができる。
【００５０】
（１−３）原稿載上ガイド処理手順
次いで図８に示すフローチャートを用いて、制御部３０が記憶部３２に予め記憶した原稿載上ガイドプログラムに従って実行する原稿載上ガイド処理手順ＲＴ１について説明する。制御部３０は、ユーザによりファンクションキーを介して定形外原稿読取機能が選択されると、原稿載上ガイドプログラムに従って原稿載上ガイド処理手順ＲＴ１を開始する。制御部３０は、原稿載上ガイド処理手順ＲＴ１を開始すると、ステップＳＰ１においてタッチスクリーン３５に定形外原稿サイズ入力画面を表示した後、ステップＳＰ２に移り、ユーザにより定形外原稿サイズ入力画面上で定形外原稿５の原稿サイズとしての縦辺の長さ及び横辺の長さが入力されることを待ち受ける。そしてステップＳＰ２において制御部３０は、ユーザによりオペレーションパネル３４の操作によって定形外原稿サイズ入力画面上で定形外原稿５の原稿サイズが入力されると、次のステップＳＰ３に移る。
【００５１】
ステップＳＰ３において制御部３０は、原稿サイズとしての縦辺の長さ及び横辺の長さを第１比較基準長と順次比較して、次のステップＳＰ４に移る。ステップＳＰ４において制御部３０は、縦辺の長さが第１比較基準長以上であるか否かを判別する。そしてステップＳＰ４において制御部３０は、縦辺の長さが第１比較基準長以上であるために肯定結果を得ると、次のステップＳＰ５に移る。ステップＳＰ５において制御部３０は、横辺の長さが第１比較基準長以上であるか否かを判別する。そしてステップＳＰ５において制御部３０は、横辺の長さが第１比較基準長以上であるために肯定結果を得ると、次のステップＳＰ６に移る。ステップＳＰ６において制御部３０は、タッチスクリーン３５に第１原稿載上ガイド画面４４を表示してユーザに、原稿トレイ１７に定形外原稿５を搬送可能な載上向きで載上した後、読取キーを押下操作するようにガイドした後、次のステップＳＰ７に移る。
【００５２】
これによりステップＳＰ７において制御部３０は、ユーザにより原稿画像の読み取りが指示されることを待ち受け、読取キーを介して原稿画像の読み取りが指示されると、次のステップＳＰ８に移る。ステップＳＰ８において制御部３０は、載上原稿センサ２７を介して、原稿トレイ１７に定形外原稿５が搬送可能な載上向きで載上されているか否かを判別する。このステップＳＰ８において制御部３０は、原稿トレイ１７に定形外原稿５が搬送可能な載上向きで載上されている、すなわち載上原稿センサ２７から媒体検出信号が与えられていることで、肯定結果を得ると、次のステップＳＰ９に移る。よってステップＳＰ９において制御部３０は、原稿搬送部１６を駆動制御して定形外原稿５からの原稿画像の読み取りを開始した後、次のステップＳＰ１０に移って原稿載上ガイド処理手順ＲＴ１を終了する。
【００５３】
これに対してステップＳＰ８において制御部３０は、縦辺の長さ及び横辺の長さが何れも第１比較基準長以上であるものの、原稿トレイ１７に定形外原稿５が載上されていない、すなわち載上原稿センサ２７から媒体不検出信号が与えられていることで否定結果を得ると、ステップＳＰ１１に移る。そしてステップＳＰ１０において制御部３０は、タッチスクリーン３５に第１載上確認ガイド画面を表示してユーザに、原稿トレイ１７に定形外原稿５を載上し忘れていないか確認するようにガイドした後、ステップＳＰ７に戻る。この際、ステップＳＰ７において制御部３０は、ユーザにより再度、原稿画像の読み取りが指示されると、ステップＳＰ８に移って再び載上原稿センサ２７を介して、原稿トレイ１７に定形外原稿５が搬送可能な載上向きで載上されているか否かを判別した後、ステップＳＰ９に移る。これによりステップＳＰ９において制御部３０は、ステップＳＰ８の判別結果に応じて、原稿トレイ１７に定形外原稿５が載上されている場合（すなわち載上原稿センサ２７から媒体検出信号が与えられた場合）は原稿搬送部１６を駆動制御し、またフラットベッドに定形外原稿５が載上されている場合（すなわち載上原稿センサ２７から媒体不検出信号が与えられている場合）はセンサ移動部３７を駆動制御して、定形外原稿５からの原稿画像の読み取りを開始した後、次のステップＳＰ１０に移って原稿載上ガイド処理手順ＲＴ１を終了する。
【００５４】
ところで上述のステップＳＰ４において制御部３０は、縦辺の長さが第１比較基準長よりも短いことで否定結果を得ると、ステップＳＰ１２に移る。ステップＳＰ１２において制御部３０は、横辺の長さが第１比較基準長以上であるか否かを判別する。そしてステップＳＰ１２において制御部３０は、横辺の長さが第１比較基準長以上であるために肯定結果を得ると、次のステップＳＰ１３に移る。また上述のステップＳＰ５において制御部３０は、横辺の長さが第１比較基準長よりも短いことで、否定結果を得たときもステップＳＰ１３に移る。すなわち制御部３０は、定形外原稿５の縦辺の長さ及び横辺の長さの何れか一方のみが第１比較基準長以上である場合はステップＳＰ１３に移る。よってステップＳＰ１３において制御部３０は、タッチスクリーン３５に第２原稿載上ガイド画面４５を表示してユーザに、原稿トレイ１７に定形外原稿５を、長辺を供給方向ａ１と平行にする載上向きで載上した後、読取キーを押下操作するようにガイドし、また原稿画像の読み取りに自動原稿供給部７を使用しない場合はフラットベッドに定形外原稿５を載上した後、読取キーを押下操作するようにガイドした後、ステップＳＰ７に移る。
【００５５】
この際、制御部３０は、ステップＳＰ７及びステップＳＰ８の処理を順次実行して、当該ステップＳＰ８において肯定結果を得た場合は、次のステップＳＰ９に移り、原稿搬送部１６を駆動制御して定形外原稿５からの原稿画像の読み取りを開始した後、ステップＳＰ１０に移って原稿載上ガイド処理手順ＲＴ１を終了する。これに対して制御部３０は、ステップＳＰ８において否定結果を得た場合は、ステップＳＰ１１に移るものの、タッチスクリーン３５に第２載上確認ガイド画面を表示してユーザに、原稿トレイ１７に定形外原稿５を指定した載上向きで載上し直した後、読取キーを再度、押下操作するようにガイドした後、ステップＳＰ７に戻る。そしてステップＳＰ７において制御部３０は、ユーザにより再度、原稿画像の読み取りが指示されてステップＳＰ８に移ると、再び載上原稿センサ２７を介して、原稿トレイ１７に定形外原稿５が搬送可能な載上向きで載上されているか否かを判別した後、ステップＳＰ９に移る。これによりステップＳＰ９において制御部３０は、ステップＳＰ８の判別結果に応じて、原稿トレイ１７に定形外原稿５が載上されている場合は原稿搬送部１６を駆動制御し、またフラットベッドに定形外原稿５が載上されている場合はセンサ移動部３７を駆動制御して、定形外原稿５からの原稿画像の読み取りを開始した後、次のステップＳＰ１０に移って原稿載上ガイド処理手順ＲＴ１を終了する。
【００５６】
また上述のステップＳＰ１２において制御部３０は、横辺の長さが第１比較基準長よりも短いことで否定結果を得ると、ステップＳＰ１４に移る。すなわち制御部３０は、定形外原稿５の縦辺の長さ及び横辺の長さの両方が第１比較基準長より短い場合はステップＳＰ１４に移る。よってステップＳＰ１４において制御部３０は、タッチスクリーン３５に第３原稿載上ガイド画面４６を表示してユーザに、フラットベッドに定形外原稿５を載上した後、読取キーを押下操作するようにガイドした後、ステップＳＰ７に移る。
【００５７】
この際、制御部３０は、ステップＳＰ７及びステップＳＰ８の処理を順次実行するものの、当該ステップＳＰ８において否定結果を得ることで、一旦、ステップＳＰ１１に移る。そしてステップＳＰ１１において制御部３０は、タッチスクリーン３５に第３載上確認ガイド画面を表示してユーザに、フラットベッドに定形外原稿５を載上しているか確認するようにガイドした後、ステップＳＰ７に戻る。そしてステップＳＰ７において制御部３０は、ユーザにより再度、原稿画像の読み取りが指示されてステップＳＰ８に移ると、再び載上原稿センサ２７を介して、原稿トレイ１７に定形外原稿５が搬送可能な載上向きで載上されていないと判別した後、ステップＳＰ９に移る。これによりステップＳＰ９において制御部３０は、ステップＳＰ８の判別結果に応じて、センサ移動部３７を駆動制御して、定形外原稿５からの原稿画像の読み取りを開始した後、次のステップＳＰ１０に移って原稿載上ガイド処理手順ＲＴ１を終了する。
【００５８】
（１−４）第１の実施の形態の動作及び効果
以上の構成において、複合機１では、定形外原稿５からの原稿画像の読取時、制御部３０がユーザによって入力された当該定形外原稿５の縦辺の長さ及び横辺の長さを第１比較基準長と比較する。そして複合機１では、制御部３０が定形外原稿５の縦辺の長さ及び横辺の長さと第１比較基準長との比較結果に応じて、タッチスクリーン３５に原稿トレイ１７に対する定形外原稿５の載上の有無、また載上向きをガイドする第１乃至第３原稿載上ガイド画面４４乃至４６を表示する。以上の構成によれば、複合機１は、ユーザに原稿トレイ１７に対して定形外原稿５を原稿搬送部１６で的確に搬送可能な載上向きで載上させることができる。よって複合機１は、原稿トレイ１７から原稿搬送部１６に供給した定形外原稿５の搬送中にジャムが発生して原稿画像の読み取りが意図せずに中断すること、またユーザに原稿搬送部１６からジャムを発生させた定形外原稿５を取り除かせる煩雑な作業を行わせることを未然に回避することができる。これにより複合機１は、定形外原稿５が原稿画像の読み取りに用いられる際のユーザの利便性を向上させることができる。
【００５９】
また複合機１では、制御部３０が、ユーザに原稿トレイ１７に定形外原稿５を搬送可能な載上向きで載上するようにガイドした後、原稿画像の読み取りが指示されると、載上原稿センサ２７を介して原稿トレイ１７に定形外原稿５がガイド通りの載上向きで載上されているか否かを検出する。そして複合機１では、制御部３０が、原稿トレイ１７に定形外原稿５がガイド通りの載上向きで載上されている場合は、原稿画像の読み取りを開始するものの、原稿トレイ１７に定形外原稿５がガイド通りの載上向きで載上されていない場合は、一旦、原稿画像の読み取りの指示を保留して、タッチスクリーン３５に原稿トレイ１７に対する定形外原稿５の載上の有無、また載上向きを確認するようにガイドする第１又は第２載上確認ガイド画面を表示する。これにより複合機１は、ユーザが原稿トレイ１７に定形外原稿５を載上し忘れていた場合や、ガイドとは異なる載上向きで載上していた場合でも、原稿トレイ１７に定形外原稿５をガイド通りの搬送可能な載上向きで載上させた後、原稿画像の読み取りを開始することができる。
【００６０】
また複合機１では、制御部３０が、ユーザに原稿トレイ１７に定形外原稿５を搬送可能な載上向きで載上しているか確認するようにガイドした後、原稿画像の読み取りが改めて指示されると、再度、載上原稿センサ２７を介して原稿トレイ１７に定形外原稿５がガイド通りの載上向きで載上されているか否かを検出する。そして複合機１では、制御部３０が、原稿トレイ１７に定形外原稿５がガイド通りの載上向きで載上されていないと、フラットベッドに定形外原稿５が載上されていると判断して、原稿画像の読み取りを開始する。これにより複合機１は、原稿搬送部１６で搬送可能な定形外原稿５であっても、ユーザに対し定形外原稿５からの原稿画像の読み取りに、自動原稿供給部７のみならずフラットベッドも使用させることができる。
【００６１】
さらに複合機１では、制御部３０が定形外原稿５の縦辺の長さ及び横辺の長さを第１比較基準長と比較した結果、当該縦辺の長さ及び横辺の長さの少なくとも一方が第１比較基準長以上であると、タッチスクリーン３５に原稿トレイ１７に対する定形外原稿５の載上向きをガイドする第１又は第２原稿載上ガイド画面４５を表示するものの、縦辺の長さ及び横辺の長さの両方が第１比較基準長より短いと、タッチスクリーン３５にフラットベッドに対する定形外原稿５の載上をガイドする第３原稿載上ガイド画面４６を表示する。これにより複合機１は、原稿画像の読み取りに定形外原稿５が用いられる場合、ユーザに定形外原稿５からの原稿画像の読み取りに、自動原稿供給部７とフラットベッドとを容易にかつ的確に使い分けさせることができる。
【００６２】
そして複合機１では、制御部３０が、ユーザにフラットベッドに定形外原稿５を載上するようにガイドした後、原稿画像の読み取りが指示されると、タッチスクリーン３５にフラットベッドに対する定形外原稿５の載上を確認するようにガイドする第３載上確認ガイド画面を表示する。これにより複合機１は、ユーザがフラットベッドに定形外原稿５を載上し忘れたまま、原稿画像の読み取りを指示しても、その指示を一旦保留し、フラットベッドに定形外原稿５を載上させたうえで、原稿画像の読み取りを開始することができる。
【００６３】
ところで複合機１では、制御部３０が、ユーザにより定形外原稿読取機能が選択された場合、定形外原稿５の原稿サイズ（すなわち縦辺の長さ及び横辺の長さ）を入力させ、その原稿サイズに応じて原稿トレイ１７に対する定形外原稿５の搬送可能な載上向き、又はフラットベッドへの定形外原稿５の載上をガイドした。このため複合機１では、制御部３０が、ユーザにより定形外原稿読取機能が選択された場合に定形原稿５の原稿サイズが入力されても、当該定形原稿５を定形外原稿５と見なし、原稿サイズに応じて同様に原稿トレイ１７に対する定形原稿５の搬送可能な載上向き、又はフラットベッドへの定形原稿５の載上をガイドすることができる。すなわち複合機１は、例えばユーザが定形媒体の種類に対する認識不足から、原稿画像の読み取りに用いる原稿媒体５が定形外原稿５及び定形原稿５の何れであるのか分からない場合や、原稿搬送部１６により、どの程度の原稿サイズの原稿媒体５までが搬送可能であるのかを的確に理解していない場合でも、これらの点についてわざわざ調べさせることなく、定形外原稿読取機能が選択された後、原稿サイズが入力されれば、定形外原稿５及び定形原稿５の何れについても、原稿トレイ１７に対する搬送可能な載上向き、又はフラットベッドへの載上をガイドすることができる。そして複合機１は、定形原稿５を定形外原稿５と見なして処理する場合も、原稿トレイ１７から原稿搬送部１６に供給した定形原稿５の搬送中にジャムが発生して原稿画像の読み取りが意図せずに中断すること、またユーザに原稿搬送部１６からジャムを発生させた定形原稿５を取り除かせる煩雑な作業を行わせることを未然に回避することができ、ユーザの利便性をさらに向上させることができる。
【００６４】
（２）第２の実施の形態
（２−１）複合機の構成
図１との対応部分に同一符号を付した図９は、第２の実施の形態による複合機５０を示す。複合機５０は、プリンタ部５１の構成を除いて、上述した第１の実施の形態による複合機１と同様に構成されている。プリンタ部５１の内部には、画像形成部５２と、複数の記録紙５３が装填される記録紙トレイ５４とが上下に位置させて設けられている。画像形成部５２は、第１乃至第４画像形成ユニット５５乃至５８と、転写ユニット５９と、定着ユニット６０とから構成されている。
【００６５】
因みに第１乃至第４画像形成ユニット５５乃至５８は、右から左へ順に並べて配置され、ブラック（Ｋ）、イエロー（Ｙ）、マゼンタ（Ｍ）、シアン（Ｃ）の４色の現像剤としてのトナーにより印刷画像の元になるトナー画像を形成するものである。また転写ユニット５９は、第１乃至第４画像形成ユニット５５乃至５８の下側に配置され、記録紙５３を右から左へ搬送しながら当該第１乃至第４画像形成ユニット５５乃至５８によって形成された４色のトナー画像を記録紙５３の表面に順に重ねて転写するものである。さらに定着ユニット６０は、転写ユニット５９の左側に配置され、当該転写ユニット５９から受け取った記録紙５３の表面に４色のトナー画像を定着させて印刷画像を形成するものである。
【００６６】
またプリンタ部５１の内部には、画像形成部５２及び記録紙トレイ５４の右側に第１記録紙搬送部６１が設けられると共に、当該画像形成部５２の左側に第２記録紙搬送部６２が設けられている。さらにプリンタ部５１は、画像形成部５２の右側となる右側面に、記録紙５３を載上するマルチパーパストレイ（以下、これをＭＰトレイとも呼ぶ）６３が突設されている。
【００６７】
ＭＰトレイ６３は、原稿トレイ１７の場合と同様に、記録紙載上面において記録紙載上範囲の前後の幅を、記録紙５３の記録紙サイズに合わせて前後から狭め、また前後に広げて規定する一対の記録紙ガイド６４が前後方向へ互いに連動して変位可能に設けられている。これによりＭＰトレイ６３は、記録紙載上面に１又は複数の記録紙５３が載上された場合、一対の記録紙ガイド６４の位置を調整させて、１又は複数の記録紙５３を原稿載上面の前後方向の中央部で揃え、一対の辺をＭＰトレイ６３から第１記録紙搬送部６１への供給方向ｂ１とほぼ平行にして位置させることができる。なおＭＰトレイ６３は、一対の記録紙ガイド６４に、互いの対向面間の距離として記録紙５３の前後方向の幅を検出するための記録紙幅センサが設けられている。
【００６８】
第１記録紙搬送部６１は、記録紙トレイ５４から記録紙５３を１枚ずつ供給する供給ローラ６７が、当該記録紙トレイ５４のトレイ先端５４Ａ近接に配置されている。また第１記録紙搬送部６１は、ＭＰトレイ６３から記録紙５３を１枚ずつ供給する供給ローラ６８が、当該ＭＰトレイ６３の記録紙載上面において供給方向ｂ１の下流側となるトレイ先端６３Ａ近接に配置されている。さらに第１記録紙搬送部６１は、記録紙トレイ５４のトレイ先端５４Ａ近傍及びＭＰトレイ６３のトレイ先端６３Ａ近傍から転写ユニット５９の右端近傍までに亘り、複数の搬送ローラ対７０乃至７２が配置されると共に、複数の搬送ガイド（図示せず）も配置されている。因みに第１記録紙搬送部６１は、供給ローラ６７、６８や、複数の搬送ローラ対７０乃至７２を駆動するモータ（図示せず）も設けられている。これにより第１記録紙搬送部６１は、複数の搬送ローラ対７０乃至７２及び複数の搬送ガイドによって、記録紙トレイ５４から繰り出した記録紙５３、またＭＰトレイ６３から繰り出した記録紙５３を画像形成部５２へ搬送する第１搬送路７３を形成している。
【００６９】
また第２記録紙搬送部６２は、定着ユニット６０の記録紙繰出口近傍から、プリンタ部５１内の左上端部までに亘り、複数の搬送ローラ対７５、７６が配置されると共に、複数の搬送ガイド（図示せず）も配置されている。因みに第２記録紙搬送部６２は、複数の搬送ローラ対７５、７６を駆動するモータ（図示せず）も設けられている。これにより第２記録紙搬送部６２は、複数の搬送ローラ対７５、７６及び複数の搬送ガイドによって、定着ユニット６０から繰り出した記録紙５３（すなわち表面に印刷画像が形成された記録紙５３）をプリンタ部５１の左上端部の記録紙排出口５１Ａまで搬送して外部に排出する第２搬送路７７を形成している。なおプリンタ部５１は、上面が記録紙排出口から排出された記録紙５３を受け取るスタッカ５１Ｂになっている。
【００７０】
ところでプリンタ部５１は、原稿トレイ１７の場合と同様に、ＭＰトレイ６３において一対の記録紙ガイド６４により記録紙載上範囲の前後の幅を、第１サイズ定形媒体の短辺の長さとほぼ等しい所定の幅から、これよりも狭い数十［ｍｍ］のような所定の幅まで可変することができる。また第１及び第２記録紙搬送部６１及び６２は、原稿搬送部１６の場合と同様に、複数の搬送ローラ対７０乃至７２、７５、７６が記録紙５３の搬送方向に沿って、ローラ間搬送路長をそれぞれ第２サイズ定形媒体の短辺よりも短い長さにして順に配置されている。
【００７１】
これによりプリンタ部５１は、ＭＰトレイ６３から第１サイズ以下の種々のサイズの定形媒体である記録紙５３や定形外媒体である記録紙５３を取り込んで、当該記録紙５３の表面に印刷画像を形成することができる。因みに以下の説明では、定形媒体である記録紙５３を特に定形記録紙５３とも呼び、定形外媒体である記録紙５３を特に定形外記録紙５３とも呼ぶ。また以下の説明では、第１及び第２記録紙搬送部６１及び６２における第１及び第２搬送路７３及び７７の個々のローラ間搬送路長のうち最も長いローラ間搬送路長を、特に第２ローラ間最搬送路長とも呼ぶ。
【００７２】
ただしプリンタ部５１は、ＭＰトレイ６３上の定形外記録紙５３を印刷画像の形成に用いる場合、縦辺及び横辺の少なくとも一方の長さが第２ローラ間最搬送路長以上の定形外記録紙５３を、第１及び第２記録紙搬送部６１及び６２により当該第２ローラ間最搬送路長以上の縦辺又は横辺を搬送方向と平行にする搬送向きで搬送する必要がある。そしてプリンタ部５１では、ＭＰトレイ６３に定形外記録紙５３が第２ローラ間最搬送路長以上の縦辺又は横辺を供給方向ｂ１と平行にする載上向きで載上されれば、当該定形外記録紙５３をそのまま第１及び第２記録紙搬送部６１及び６２において第２ローラ間最搬送路長以上の縦辺又は横辺を搬送方向と平行にする搬送向きで搬送することができる。
【００７３】
このためＭＰトレイ６３にも、原稿トレイ１７の場合と同様に、トレイ先端６３Ａよりもトレイ後端６３Ｂ側（すなわちトレイ先端６３Ａよりも供給方向ｂ１の上流側）の所定の位置に、載上された定形外記録紙５３を検出するための載上記録紙センサ７８が設けられている。そしてＭＰトレイ６３では、トレイ先端６３Ａから載上記録紙センサ７８による定形外記録紙５３の記録紙検出位置までの距離Ｓ２が第２ローラ間最搬送路長に選定されている。これによりプリンタ部５１は、定形外記録紙５３への印刷画像の形成にＭＰトレイ６３を使用する場合、載上記録紙センサ７８により、ＭＰトレイ６３に縦辺及び横辺の少なくとも一方の長さが第２ローラ間最搬送路長以上の定形外記録紙５３が、当該第２ローラ間最搬送路長以上の縦辺又は横辺を供給方向ｂ１と平行にする載上向きで載上されているか否かを検出可能にしている。
【００７４】
なおＭＰトレイ６３についても、トレイ先端６３Ａから記録紙検出位置までの距離Ｓ２を第２ローラ間最搬送路長とせずに、当該第２ローラ間最搬送路長よりも長い所定の距離に選定することができる。そしてプリンタ部５１では、ＭＰトレイ６３の記録紙載上面に一方の横辺又は縦辺をトレイ先端６３Ａにほぼ一致させて載上された定形外記録紙５３を、当該トレイ先端６３Ａから第２ローラ間最搬送路長Ｌ１以上離れた載上記録紙センサ７８を介して検出し得た場合、記録紙載上面に定形外記録紙５３が第２ローラ間最搬送路長以上の縦辺又は横辺を供給方向ｂ１と平行にする載上向きで載上されているため、第１及び第２記録紙搬送部６１及び６２により当該定形外記録紙５３を的確に搬送することができる。
【００７５】
（２−２）複合機のブロック図
次いで図３との対応部分に同一符号を付した図１０を用いて複合機５０のブロック図について説明する。複合機５０は、マイクロプロセッサ又はＣＰＵである制御部８０を有し、当該制御部８０にバス３１を介してハードディスクドライブ又はＲＯＭである記憶部８１が接続されている。また制御部８０には、バス３１を介して、画像形成部５２、第１記録紙搬送部６１、第２記録紙搬送部６２、載上記録紙センサ７８、記録紙幅センサ８２も接続されている。制御部８０は、記憶部８１に予め記憶した基本プログラムや原稿載上ガイドプログラム、記録紙載上ガイドプログラム等の各種プログラムをＲＡＭ３３に適宜読み出して展開する。そして制御部８０は、ＲＡＭ３３に展開した各種プログラムに従って複合機５０全体を統括制御すると共に、所定の演算処理や、ユーザによるオペレーションパネル３４の操作に応じた各種処理を実行する。
【００７６】
これにより制御部８０は、ユーザにより記録紙５３の供給元として記録紙トレイ５４が選択されたうえで画像形成キーが押下操作されて印刷画像の形成が指示されると、記録紙トレイ５４から記録紙５３を供給ローラ６７によって繰り出し、第１搬送路７３を介して画像形成部５２に搬送する。そして制御部８０は、画像形成部５２により記録紙５３の表面に印刷画像を形成した後、第２搬送路７７を介して搬送して記録紙排出口５１Ａからスタッカ５１Ｂへ排出する。
【００７７】
また制御部８０は、ユーザにより記録紙５３の供給元としてＭＰトレイ６３が選択されたうえで画像形成キーが押下操作されて印刷画像の形成が指示されると、ＭＰトレイ６３から記録紙５３（すなわち定形記録紙５３や定形外記録紙５３）を供給ローラ６８によって繰り出し、第１搬送路７３を介して画像形成部５２に搬送する。そして制御部８０は、画像形成部５２により記録紙５３の表面に印刷画像を形成した後、第２搬送路７７を介して搬送して記録紙排出口５１Ａからスタッカ５１Ｂへ排出する。
【００７８】
ただし制御部８０は、ユーザが印刷画像の形成に定形外記録紙５３を用いる場合、当該ユーザに例えば記録紙５３の供給元としてＭＰトレイ６３を選択させた後、ファンクションキーを介して定形外記録紙５３に印刷画像を形成する定形外記録紙画像形成機能を選択させる。そして制御部８０は、ユーザにより定形外記録紙画像形成機能が選択されると、記憶部８１から予め記憶している定形外記録紙サイズ入力画面データを読み出してタッチスクリーン３５に送出することにより定形外記録紙サイズ入力画面（図示せず）を表示する。これにより制御部８０は、ユーザにテンキーを介して定形外記録紙サイズ入力画面上で、このとき印刷画像の形成に用いられる定形外記録紙５３の記録紙サイズとしての縦辺の長さ及び横辺の長さを入力させる。
【００７９】
そして制御部８０は、記憶部８１に予め例えば第２ローラ間最搬送路長と同じ長さである第２比較基準長を示す第２比較基準長データを記憶している。なお第２比較基準長についても、第２ローラ間最搬送路長より長い所定の長さに設定することができる。よって制御部８０は、記憶部８１から第２比較基準長データを読み出し、ユーザにより入力された縦辺の長さ及び横辺の長さを、当該第２比較基準長データが示す第２比較基準長と順に比較する。その結果、制御部８０は、縦辺の長さ及び横辺の長さが何れも第２比較基準長以上であることを検出すると、記憶部８１から予め記憶している第１記録紙載上ガイド画面データを読み出す。そして制御部８０は、第１記録紙載上ガイド画面データをタッチスクリーン３５に送出して第１記録紙載上ガイド画面（図示せず）を表示する。第１記録紙載上ガイド画面には、例えば「ＭＰトレイに記録紙を、何れかの辺を供給方向と平行にする向きで載せた後、画像形成キーを押して下さい」というガイド文が表示されている。これにより制御部８０は、タッチスクリーン３５に表示した第１記録紙載上ガイド画面を介してユーザに、ＭＰトレイ６３に定形外記録紙５３を搬送可能な載上向きで載上した後、画像形成キーを押下操作して印刷画像の形成を指示するようにガイドする。
【００８０】
ところで制御部８０は、ユーザにより定形外記録紙読取機能が選択されると、載上記録紙センサ７８を動作させている。載上記録紙センサ７８は、上述した載上原稿センサ２７と同様に動作する。よって制御部８０は、第１記録紙載上ガイド画面の表示に応じて、ユーザにより画像形成キーが押下操作されて印刷画像の形成が指示されると、載上記録紙センサ７８を介して、ＭＰトレイ６３に定形外記録紙５３が第１及び第２記録紙搬送部６１及び６２によって搬送可能な載上向きで載上されているか否かを検出する。この際、制御部８０は、載上記録紙センサ７８から媒体検出信号が与えられていると、これに応じて、ＭＰトレイ６３に定形外記録紙５３が搬送可能な載上向きで載上されていることを検出する。これにより制御部８０は、上述と同様に第１及び第２記録紙搬送部６１及び６２を駆動制御して、ＭＰトレイ６３から定形外記録紙５３を、第１搬送路７３を介して画像形成部５２へ搬送して当該定形外記録紙５３の表面に印刷画像を形成した後、第２搬送路７７を介して搬送して記録紙排出口５１Ａからスタッカ５１Ｂへ排出する。
【００８１】
これに対して制御部８０は、載上記録紙センサ７８から媒体不検出信号が与えられていると、これに応じてＭＰトレイ６３に定形外記録紙５３が載上されていないことを検出する。この際、制御部８０は、記憶部８１から予め記憶している第５載上確認ガイド画面データを読み出し、タッチスクリーン３５に送出して第５載上確認ガイド画面（図示せず）を表示する。第５載上確認ガイド画面には、例えば「ＭＰトレイに記録紙が載っていません  記録紙を載せて再度、画像形成キーを押してください  印刷を取り消す場合は取消キーを押してください」というガイド文が表示されている。これにより制御部８０は、タッチスクリーン３５に表示した第５載上確認ガイド画面を介してユーザに、ＭＰトレイ６３に定形外記録紙５３を指定した載上向きで載上した後、画像形成キーを再度、押下操作するようにガイドする。また制御部８０は、ユーザに印刷画像の形成を取り消す場合は、取消キーを押下操作するようにガイドする。
【００８２】
そして制御部８０は、ユーザによりＭＰトレイ６３に定形外記録紙５３が搬送可能な載上向きで載上された後、画像形成キーが再び押下操作されて印刷画像の形成が指示されると、上述と同様に第１及び第２記録紙搬送部６１及び６２を駆動制御して、ＭＰトレイ６３から定形外記録紙５３を、第１搬送路７３を介して画像形成部５２へ搬送して当該定形外記録紙５３の表面に印刷画像を形成した後、第２搬送路７７を介して搬送して記録紙排出口５１Ａからスタッカ５１Ｂへ排出する。これに対して制御部８０は、ユーザにより取消キーが押下操作されて印刷画像の形成の取り消しが指示されると、これに応じて定形外記録紙５３に対する印刷画像の形成を取り消す。
【００８３】
また制御部８０は、定形外記録紙５３の縦辺の長さ及び横辺の長さを第２比較基準長と順に比較した結果、当該縦辺の長さ及び横辺の長さの一方のみが第２比較基準長以上であることを検出したときには、記憶部８１から予め記憶している第２記録紙載上ガイド画面データを読み出す。そして制御部８０は、第２記録紙載上ガイド画面データをタッチスクリーン３５に送出して第２記録紙載上ガイド画面（図示せず）を表示する。第２記録紙載上ガイド画面には、例えば「ＭＰトレイに記録紙を、長辺を供給方向と平行にする向きで載せた後、画像形成キーを押してください」というガイド文と共に、ＭＰトレイ６３に対する定形外記録紙５３の載せ方をガイドするガイド画像が表示されている。これにより制御部８０は、タッチスクリーン３５に表示した第２記録紙載上ガイド画面を介してユーザに、ＭＰトレイ６３に定形外記録紙５３を搬送可能な載上向きで載上した後、画像形成キーを押下操作するようにガイドする。
【００８４】
そして制御部８０は、ユーザにより画像形成キーが押下操作されて印刷画像の形成が指示されると、上述と同様に載上記録紙センサ７８を介して、ＭＰトレイ６３に定形外記録紙５３が搬送可能な載上向きで載上されているか否かを検出する。この際、制御部８０は、ＭＰトレイ６３に定形外記録紙５３が搬送可能な載上向きで載上されていることを検出する（すなわち載上記録紙センサ７８から媒体検出信号が与えられている）と、上述と同様に第１及び第２記録紙搬送部６１及び６２を駆動制御して、ＭＰトレイ６３から定形外記録紙５３を、第１搬送路７３を介して画像形成部５２へ搬送して当該定形外記録紙５３の表面に印刷画像を形成した後、第２搬送路７７を介して搬送して記録紙排出口５１Ａからスタッカ５１Ｂへ排出する。
【００８５】
これに対して制御部８０は、ＭＰトレイ６３に定形外記録紙５３が搬送可能な載上向きで載上されていないことを検出する（すなわち載上記録紙センサ７８から媒体不検出信号が与えられている）と、記憶部８１から予め記憶している第６載上確認ガイド画面データを読み出し、タッチスクリーン３５に送出して第６載上確認ガイド画面（図示せず）を表示する。第６載上確認ガイド画面には、例えば「ＭＰトレイに記録紙が載っていないか、給紙できない向きで載っています。記録紙を確認のうえ、再度、画像形成キーを押してください  印刷を取り消す場合は取消キーを押してください」というガイド文が表示されている。これにより制御部８０は、タッチスクリーン３５に表示した第６載上確認ガイド画面を介してユーザに、ＭＰトレイ６３に定形外記録紙５３を指定した載上向きで載上し直した後、画像形成キーを再度、押下操作するようにガイドする。また制御部８０は、ユーザに印刷画像の形成を取り消す場合は、取消キーを押下操作するようにガイドする。
【００８６】
そして制御部８０は、ユーザによりＭＰトレイ６３に定形外記録紙５３が搬送可能な載上向きで載上された後、画像形成キーが再び押下操作されて印刷画像の形成が指示されると、上述と同様に第１及び第２記録紙搬送部６１及び６２を駆動制御して、ＭＰトレイ６３から定形外記録紙５３を、第１搬送路７３を介して画像形成部５２へ搬送して当該定形外記録紙５３の表面に印刷画像を形成した後、第２搬送路７７を介して搬送して記録紙排出口５１Ａからスタッカ５１Ｂへ排出する。これに対して制御部８０は、ユーザにより取消キーが押下操作されて印刷画像の形成の取り消しが指示されると、これに応じて定形外記録紙５３に対する印刷画像の形成を取り消す。
【００８７】
ところでプリンタ部５１では、定形外記録紙５３の縦辺の長さ及び横辺の長さの両方が第２比較基準長より短いと、ＭＰトレイ６３に定形外記録紙５３が載上されても第１及び第２記録紙搬送部６１及び６２を介して搬送する際にジャムが発生する可能性がある。このため制御部８０は、定形外記録紙５３の縦辺の長さ及び横辺の長さを第２比較基準長と順に比較した結果、当該縦辺の長さ及び横辺の長さの両方が第２比較基準長より短いことを検出したときには、記憶部８１から予め記憶している取消ガイド画面データを読み出す。そして制御部８０は、取消ガイド画面データをタッチスクリーン３５に送出して取消ガイド画面（図示せず）を表示する。
【００８８】
取消ガイド画面には、例えば「プリンタでは扱えない記録紙です  取消キーを押して印刷を取り消して下さい」というガイド文が表示されている。これにより制御部８０は、タッチスクリーン３５に表示した取消ガイド画面を介してユーザに、取消キーを押下操作して印刷画像の形成を取り消すようにガイドする。そして制御部８０は、ユーザにより取消キーが押下操作されて印刷画像の形成の取り消しが指示されると、これに応じて定形外記録紙５３に対する印刷画像の形成を取り消す。
【００８９】
このようにして制御部８０は、定形外記録紙５３の記録紙サイズに応じてユーザにＭＰトレイ６３に対する定形外記録紙５３の載上向きをガイドすることで、当該ＭＰトレイ６３から供給する定形外記録紙５３を、第１及び第２記録紙搬送部６１及び６２を介して的確に搬送しながら印刷画像を形成することができる。
【００９０】
なお第２の実施の形態の場合、制御部８０は、定形外記録紙５３に印刷画像を形成する場合、ユーザによって入力された定形外記録紙５３の記録紙サイズ（すなわち縦辺の長さ及び横辺の長さ）応じて、印刷対象の画像データに適宜、縮小処理等の画像処理を施した後、その画像データに基づき画像形成部５２を制御する。これにより制御部８０は、定形外記録紙５３の表面に印刷画像を当該表面からはみ出させることなく的確に形成することができる。
【００９１】
（２−３）記録紙載上ガイド処理手順
次いで図１１に示すフローチャートを用いて、制御部８０が記憶部８１に予め記憶した記録紙載上ガイドプログラムに従って実行する記録紙載上ガイド処理手順ＲＴ２について説明する。制御部８０は、ユーザによりファンクションキーを介して定形外記録紙画像形成機能が選択されると、記録紙載上ガイドプログラムに従って記録紙載上ガイド処理手順ＲＴ２を開始する。制御部８０は、記録紙載上ガイド処理手順ＲＴ２を開始すると、ステップＳＰ２１においてタッチスクリーン３５に定形外記録紙サイズ入力画面を表示した後、ステップＳＰ２２に移り、ユーザにより定形外記録紙サイズ入力画面上で定形外記録紙５３の記録紙サイズとしての縦辺の長さ及び横辺の長さが入力されることを待ち受ける。そしてステップＳＰ２２において制御部８０は、ユーザによりオペレーションパネル３４の操作によって定形外記録紙サイズ入力画面上で定形外記録紙５３の記録紙サイズが入力されると、次のステップＳＰ２３に移る。
【００９２】
ステップＳＰ２３において制御部８０は、記録紙サイズとしての縦辺の長さ及び横辺の長さを第２比較基準長と順次比較して、次のステップＳＰ２４に移る。ステップＳＰ２４において制御部８０は、縦辺の長さが第２比較基準長以上であるか否かを判別する。そしてステップＳＰ２４において制御部８０は、縦辺の長さが第２比較基準長以上であるために肯定結果を得ると、次のステップＳＰ２５に移る。ステップＳＰ２５において制御部８０は、横辺の長さが第２比較基準長以上であるか否かを判別する。そしてステップＳＰ２５において制御部８０は、横辺の長さが第２比較基準長以上であるために肯定結果を得ると、次のステップＳＰ２６に移る。ステップＳＰ２６において制御部８０は、タッチスクリーン３５に第１記録紙載上ガイド画面を表示してユーザに、ＭＰトレイ６３に定形外記録紙５３を搬送可能な載上向きで載上した後、画像形成キーを押下操作するようにガイドした後、次のステップＳＰ２７に移る。
【００９３】
これによりステップＳＰ２７において制御部８０は、ユーザにより印刷画像の形成が指示されることを待ち受け、画像形成キーが押下操作されて印刷画像の形成が指示されると、次のステップＳＰ２８に移る。ステップＳＰ２８において制御部８０は、載上記録紙センサ７８を介して、ＭＰトレイ６３に定形外記録紙５３が搬送可能な載上向きで載上されているか否かを判別する。このステップＳＰ２８において制御部８０は、ＭＰトレイ６３に定形外記録紙５３が搬送可能な載上向きで載上されている、すなわち載上記録紙センサ７８から媒体検出信号が与えられていることで、肯定結果を得ると、次のステップＳＰ２９に移る。よってステップＳＰ２９において制御部８０は、画像形成部５２と共に第１及び第２記録紙搬送部６１及び６２を駆動制御して定形外記録紙５３に対する印刷画像の形成を開始した後、次のステップＳＰ３０に移って記録紙載上ガイド処理手順ＲＴ２を終了する。
【００９４】
これに対してステップＳＰ２８において制御部８０は、縦辺の長さ及び横辺の長さが何れも第２比較基準長以上であるものの、ＭＰトレイ６３に定形外記録紙５３が載上されていない、すなわち載上記録紙センサ７８から媒体不検出信号が与えられていることで否定結果を得ると、ステップＳＰ３１に移る。そしてステップＳＰ３０において制御部８０は、タッチスクリーン３５に第５載上確認ガイド画面を表示してユーザに、ＭＰトレイ６３に定形外記録紙５３を載上し忘れていないか確認するようにガイドした後、ステップＳＰ３２に移る。そしてステップＳＰ３２において制御部８０は、ユーザにより再度、印刷画像の形成が指示されたか否かを判別し、画像形成キーが押下操作されたことで肯定結果を得ると、ステップＳＰ２９に移る。これに対してステップＳＰ３２において制御部８０は、ユーザにより取消キーが押下操作されて印刷画像の形成の取り消しが指示されたことで否定結果を得ると、ステップＳＰ３０に移って記録紙載上ガイド処理手順ＲＴ２を終了する。
【００９５】
ところで上述のステップＳＰ２４において制御部８０は、縦辺の長さが第２比較基準長よりも短いことで否定結果を得ると、ステップＳＰ３３に移る。ステップＳＰ３３において制御部８０は、横辺の長さが第２比較基準長よりも長いか否かを判別する。そしてステップＳＰ３３において制御部８０は、横辺の長さが第２比較基準長以上であるために肯定結果を得ると、次のステップＳＰ３４に移る。また上述のステップＳＰ２５において制御部８０は、横辺の長さが第２比較基準長よりも短いことで、否定結果を得たときもステップＳＰ３４に移る。すなわち制御部８０は、定形外記録紙５３の縦辺の長さ及び横辺の長さの何れか一方のみが第２比較基準長以上である場合はステップＳＰ３４に移る。よってステップＳＰ３４において制御部８０は、タッチスクリーン３５に第２記録紙載上ガイド画面を表示してユーザに、ＭＰトレイ６３に定形外記録紙５３を、長辺を供給方向ｂ１と平行にする載上向きで載上した後、画像形成キーを押下操作するようにガイドした後、ステップＳＰ２７に移る。
【００９６】
この際、制御部８０は、ステップＳＰ２７及びステップＳＰ２８の処理を順次実行して、当該ステップＳＰ２８において肯定結果を得た場合は、次のステップＳＰ２９に移り、画像形成部５２と共に第１及び第２記録紙搬送部６１及び６２を駆動制御して定形外記録紙５３に対する印刷画像の形成を開始した後、ステップＳＰ３０に移って記録紙載上ガイド処理手順ＲＴ２を終了する。これに対して制御部８０は、ステップＳＰ２８において否定結果を得た場合は、ステップＳＰ３１に移るものの、タッチスクリーン３５に第６載上確認ガイド画面を表示してユーザに、ＭＰトレイ６３に定形外記録紙５３を指定した載上向きで載上し直した後、画像形成キーを再度、押下操作するようにガイドした後、ステップＳＰ３２に移る。そしてステップＳＰ３２において制御部８０は、上述と同様に再度、印刷画像の形成が指示されて肯定結果を得ると、ステップＳＰ２９に移る。これに対してステップＳＰ３２において制御部８０は、ユーザにより印刷画像の形成の取り消しが指示されたことで否定結果を得ると、ステップＳＰ３０に移って記録紙載上ガイド処理手順ＲＴ２を終了する。
【００９７】
また上述のステップＳＰ３３において制御部８０は、横辺の長さが第２比較基準長よりも短いことで否定結果を得ると、ステップＳＰ３５に移る。すなわち制御部８０は、定形外記録紙５３の縦辺の長さ及び横辺の長さの両方が第２比較基準長より短い場合、第１及び第２記録紙搬送部６１及び６２により定形外記録紙５３を的確には搬送し難いためにステップＳＰ３５に移る。よってステップＳＰ３５において制御部８０は、タッチスクリーン３５に取消ガイド画面を表示して、ユーザに取消キーを押下操作するようにガイドする。そして制御部８０は、ユーザにより印刷画像の形成の取り消しが指示されると、ステップＳＰ３０に移って記録紙載上ガイド処理手順ＲＴ２を終了する。
【００９８】
（２−４）第２の実施の形態の動作及び効果
以上の構成において、複合機５０では、定形外記録紙５３に対する印刷画像の形成時、制御部８０がユーザによって入力された当該定形外記録紙５３の縦辺の長さ及び横辺の長さを第２比較基準長と比較する。そして複合機５０では、制御部８０が定形外記録紙５３の縦辺の長さ及び横辺の長さと第２比較基準長との比較結果に応じて、タッチスクリーン３５にＭＰトレイ６３に対する定形外記録紙５３の載上の有無、また載上向きをガイドする第１及び第２記録紙載上ガイド画面並びに取消ガイド画面を表示する。以上の構成によれば、複合機５０は、ユーザにＭＰトレイ６３に対して定形外記録紙５３を第１及び第２記録紙搬送部６１及び６２で的確に搬送可能な載上向きで載上させることができる。よって複合機５０は、ＭＰトレイ６３から第１及び第２記録紙搬送部６１及び６２に供給した定形外記録紙５３の搬送中にジャムが発生して印刷画像の形成が意図せずに中断すること、またユーザに第１及び第２記録紙搬送部６１及び６２からジャムを発生させた定形外記録紙５３を取り除かせる煩雑な作業を行わせることを未然に回避することができる。これにより複合機５０は、定形外記録紙５３が印刷画像の形成に用いられる際のユーザの利便性を向上させることができる。
【００９９】
また複合機５０では、制御部８０が、ユーザにＭＰトレイ６３に定形外記録紙５３を搬送可能な載上向きで載上するようにガイドした後、印刷画像の形成が指示されると、載上記録紙センサ７８を介してＭＰトレイ６３に定形外記録紙５３がガイド通りの載上向きで載上されているか否かを検出する。そして複合機５０では、制御部８０が、ＭＰトレイ６３に定形外記録紙５３がガイド通りの載上向きで載上されている場合は、印刷画像の形成を開始するものの、ＭＰトレイ６３に定形外記録紙５３がガイド通りの載上向きで載上されていない場合は、一旦、印刷画像の形成の指示を保留して、タッチスクリーン３５にＭＰトレイ６３に対する定形外記録紙５３の載上の有無、また載上向きを確認するようにガイドする第１又は第２載上確認ガイド画面を表示する。これにより複合機５０は、ユーザがＭＰトレイ６３に定形外記録紙５３を載上し忘れていた場合や、ガイドとは異なる載上向きで載上していた場合でも、ＭＰトレイ６３に定形外記録紙５３をガイド通りの搬送可能な載上向きで載上させた後、印刷画像の形成を開始することができる。
【０１００】
さらに複合機５０では、制御部８０が定形外記録紙５３の縦辺の長さ及び横辺の長さを第２比較基準長と比較した結果、当該縦辺の長さ及び横辺の長さの両方が第２比較基準長より短いと、タッチスクリーン３５に、第１及び第２記録紙搬送部６１及び６２では定形外記録紙５３を的確に搬送し難いことを通知し、印刷画像の形成の取り消しをガイドする取消ガイド画面を表示する。これにより複合機５０は、ユーザが印刷画像の形成に、第１及び第２記録紙搬送部６１及び６２では的確に搬送し難い定形外記録紙５３を用いようとした場合、これを中止させ、定形外記録紙５３の搬送中にジャムが発生して印刷画像の形成が意図せずに中断すること、またユーザに第１及び第２記録紙搬送部６１及び６２からジャムを発生させた定形外記録紙５３を取り除かせる煩雑な作業を行わせることを未然に回避することができる。
【０１０１】
そして複合機５０では、制御部８０が、ユーザにより定形外記録紙画像形成機能が選択された場合、定形外記録紙５３の記録紙サイズ（すなわち縦辺の長さ及び横辺の長さ）を入力させ、その記録紙サイズに応じてＭＰトレイ６３に対する定形外記録紙５３の搬送可能な載上向き、又は印刷画像の形成の取り消しをガイドした。このため複合機５０では、制御部８０が、ユーザにより定形外記録紙画像形成機能が選択された場合に定形記録紙５３の記録紙サイズが入力されても、当該定形記録紙５３を定形外記録紙５３と見なし、記録紙サイズに応じて同様にＭＰトレイ６３に対する定形記録紙５３の搬送可能な載上向き、又は印刷画像の形成の取り消しをガイドすることができる。すなわち複合機５０でも、上述した第１の実施の形態の場合と基本的には同様に、例えばユーザが定形媒体の種類に対する認識不足から、印刷画像の形成に用いる記録紙５３が定形外記録紙５３及び定形記録紙５３の何れであるのか分からない場合や、第１及び第２記録紙搬送部６１及び６２により、どの程度の記録紙サイズの記録紙５３までが搬送可能であるのかを的確に理解していない場合でも、これらの点についてわざわざ調べさせることなく、定形外記録紙画像形成機能が選択された後、記録紙サイズが入力されれば、定形外記録紙５３及び定形記録紙５３の何れについても、ＭＰトレイ６３に対す搬送可能な載上向き、又は印刷画像の形成の取り消しをガイドすることができる。そして複合機５０は、定形記録紙５３を定形外記録紙５３と見なして処理する場合も、ＭＰトレイ６３から第１及び第２記録紙搬送部６１及び６２に供給した定形記録紙５３の搬送中にジャムが発生して印刷画像の形成が意図せずに中断すること、またユーザに第１及び第２記録紙搬送部６１及び６２からジャムを発生させた定形記録紙５３を取り除かせる煩雑な作業を行わせることを未然に回避することができ、ユーザの利便性をさらに向上させることができる。
【０１０２】
（３）他の実施の形態
（３−１）他の実施の形態１
なお上述した第１及び第２の実施の形態においては、ユーザにオペレーションパネル３４を介して定形外原稿５の原稿サイズ及び定形外記録紙５３の記録紙サイズを入力させる場合について述べた。しかしながら本発明は、これに限らず、フラットベッドに定形外原稿５や定形外記録紙５３を載上させてイメージセンサ１２でスキャンし、そのスキャン結果に基づいて定形外原稿５の原稿サイズや定形外記録紙５３の記録紙サイズを検出しても良い。本発明は、係る構成によれば、ユーザに定形外原稿５の原稿サイズ及び定形外記録紙５３の記録紙サイズを測らせ、またオペレーションパネル３４を介して原稿サイズ及び記録紙サイズを入力させる煩雑な作業を何ら行わせることなく、定形外原稿５の原稿サイズ及び定形外記録紙５３の記録紙サイズを容易にかつ的確に取得することができる。
【０１０３】
また本発明は、例えばユーザにオペレーションパネル３４を介して定形外原稿５の原稿サイズ及び定形外記録紙５３の記録紙サイズとして、これらが長方形の場合は一方の長辺である縦辺の長さ又は横辺の長さのみを入力させ、またこれらが正方形である場合は同一の長さである縦辺の長さ及び横辺の長さの何れか一方のみを入力させても良い。本発明は、係る構成によっても、定形外原稿５の原稿サイズ及び定形外記録紙５３の記録紙サイズとして一方のみ入力された縦辺の長さ又は横辺の長さを第１及び第２比較基準長と比較し、その比較結果に応じて、原稿トレイ１７に対する定形外原稿５の搬送可能な載上向き、又はフラットベッドへの定形外原稿５の載上をガイドし、またＭＰトレイ６３に対する定形外記録紙５３の搬送可能な載上向き、又は印刷画像の形成の取り消しをガイドすることができ、上述した第１及び第２の実施の形態によって得られる効果と同様の効果を得ることができる。
【０１０４】
（３−２）他の実施の形態２
また上述した第１及び第２の実施の形態においては、複合機１、５０がユーザによるオペレーションパネル３４の操作に応じて定形外原稿５からの原稿画像の読み取り、及び定形外記録紙５３に対する印刷画像の形成を実行する場合について述べた。しかしながら本発明は、これに限らず、複合機１、５０がユーザの操作する上位装置からの指示に応じて定形外原稿５からの原稿画像の読み取り、及び定形外記録紙５３に対する印刷画像の形成を実行しても良い。そして本発明は、係る構成の場合、ユーザに上位装置に対して定形外原稿５の原稿サイズ及び定形外記録紙５３の記録紙サイズを入力させて、複合機１、５０が当該上位装置から原稿サイズ及び記録紙サイズを取得しても良い。また本発明は、係る構成の場合、複合機１、５０が原稿載上ガイド処理及び記録紙載上ガイド処理を実行した場合、第１乃至第３原稿載上ガイド画面データや第１及び第２記録紙載上ガイド画面データ等の種々のガイド画面データを上位装置に送信して種々のガイド画面を表示させることで、ユーザに上位装置で表示した種々のガイド画面を介して定形外原稿５や定形外記録紙５３の載上向き等をガイドしても良い。これに加えて本発明は、ユーザに種々のガイド画面を介して定形外原稿５や定形外記録紙５３の載上向き等をガイドするのではなく、例えば上述した種々のガイド文のガイド音声データを複合機１、５０又は上位装置で出力することで、ユーザに定形外原稿５や定形外記録紙５３の載上向き等をガイド音声によってガイドしても良い。
【０１０５】
（３−３）他の実施の形態３
さらに上述した第１及び第２の実施の形態においては、複合機１、５０の制御部３０、８０が、記憶部３２、８１に予め記憶された原稿載上ガイドプログラム及び記録紙載上ガイドプログラムに従って図６及び図９について上述した原稿載上ガイド処理手順ＲＴ１及び記録紙載上ガイド処理手順ＲＴ２を実行する場合について述べた。しかしながら本発明は、これに限らず、複合機１、５０の制御部３０、８０が、原稿載上ガイドプログラム及び記録紙載上ガイドプログラムが記憶されたコンピュータ読取可能な記憶媒体によって当該原稿載上ガイドプログラム及び記録紙載上ガイドプログラムをインストールし、又はローカルエリアネットワークやインターネット、デジタル衛星放送等の有線及び無線通信媒体を利用して外部から原稿載上ガイドプログラム及び記録紙載上ガイドプログラムをインストールして原稿載上ガイド処理手順ＲＴ１及び記録紙載上ガイド処理手順ＲＴ２を実行しても良い。そして原稿載上ガイドプログラム及び記録紙載上ガイドプログラムを複合機１、５０にインストールして実行可能な状態にするためのコンピュータ読取可能な記憶媒体としては、例えばフレキシブルディスクや、ＣＤ−ＲＯＭ（Compact  Disc-Read  Only  Memory）、ＤＶＤ（Digital  Versatile  Disc）等のパッケージメディアで実現しても良く、原稿載上ガイドプログラム及び記録紙載上ガイドプログラムが一時的もしくは永続的に記憶される半導体メモリや磁気ディスク等で実現しても良い。またコンピュータ読取可能な記憶媒体に、原稿載上ガイドプログラム及び記録紙載上ガイドプログラムを記憶する手段としては、ローカルエリアネットワークやインターネット、デジタル衛星放送等の有線及び無線通信媒体を利用しても良い。さらにコンピュータ読取可能な記憶媒体には、ルータやモデム等の各種通信インタフェースを介して原稿載上ガイドプログラム及び記録紙載上ガイドプログラムを記憶しても良い。
【０１０６】
（３−４）他の実施の形態４
さらに上述した第１及び第２の実施の形態においては、本発明による媒体処理装置、画像読取装置及び画像形成装置を、図１乃至図９について上述した複合機１、５０に適用する場合について述べた。しかしながら本発明は、これに限らず、プリンタやスキャナ、ＭＦＰ（Multi-Function  Peripheral）、ファクシミリ等のように、この他種々の構成の媒体処理装置、画像読取装置及び画像形成装置に広く適用することができる。
【０１０７】
（３−５）他の実施の形態５
さらに上述した第１及び第２の実施の形態においては、媒体を載上するトレイとして、図１乃至図９について上述した原稿トレイ１７及びＭＰトレイ６３を適用する場合について述べた。しかしながら本発明は、これに限らず、媒体を搬送部に供給し得れば、記録紙トレイ５４のように、この他種々のトレイを広く適用することができる。
【０１０８】
（３−６）他の実施の形態６
さらに上述した第１及び第２の実施の形態においては、トレイから媒体を取り込んで搬送する搬送部として、図１乃至図９について上述した原稿搬送部１６、第１及び第２記録紙搬送部６１及び６２を適用する場合について述べた。しかしながら本発明は、これに限らず、１又は複数のローラ対と共に、又は換えて搬送ベルトが設けられた搬送部のように、この他種々の構成の搬送部を広く適用することができる。
【０１０９】
（３−７）他の実施の形態７
さらに上述した第１及び第２の実施の形態においては、媒体のサイズを取得するサイズ取得部として、図１乃至図９について上述した制御部３０、８０を適用する場合について述べた。しかしながら本発明は、これに限らず、操作キー３６やイメージセンサ１２、上位装置等から媒体のサイズを取得するＤＳＰ（Digital  Signal  Processor）やハードウェア回路構成のサイズ取得回路等ように、この他種々の構成のサイズ取得部を広く適用することができる。
【０１１０】
（３−８）他の実施の形態８
さらに上述した第１及び第２の実施の形態においては、サイズ取得部により取得された媒体のサイズを所定の比較基準長と比較する比較部として、図１乃至図９について上述した制御部３０、８０を適用する場合について述べた。しかしながら本発明は、これに限らず、ＤＳＰや、サイズ取得部により取得された媒体のサイズを所定の比較基準長と比較するハードウェア回路構成の比較回路等のように、この他種々の構成の比較部を広く適用することができる。
【０１１１】
（３−９）他の実施の形態９
さらに上述した第１及び第２の実施の形態においては、比較部がサイズ取得部により取得された媒体のサイズと比較する所定の比較基準長として、図１乃至図９について上述した第１及び第２比較基準長を適用する場合について述べた。しかしながら本発明は、これに限らず、原稿搬送部１６や第１及び第２記録紙搬送部６１及び６２で的確に搬送可能な原稿媒体５や記録紙５３の原稿サイズや記録紙サイズを検出し得れば、原稿搬送部１６や第１及び第２記録紙搬送部６１及び６２を構成する際の基準とした第２サイズ定形媒体の短辺の長さや、上述したトレイ先端１７Ａ、６３Ａから原稿検出位置や記録紙検出位置までの距離等のように、第１及び第２ローラ間最搬送路長Ｌ１以上の種々の比較基準長を広く適用することができる。
【０１１２】
（３−１０）他の実施の形態１０
さらに上述した第１及び第２の実施の形態においては、比較部によるサイズと比較基準長との比較結果に応じて、トレイに対する媒体の載上向きをガイドする媒体載上ガイドデータを出力するガイドデータ出力部として、図１乃至図９について上述した制御部３０、８０を適用する場合について述べた。しかしながら本発明は、これに限らず、比較部によるサイズと比較基準長との比較結果に応じて、トレイに対する媒体の載上向きをガイドする媒体載上ガイドデータをタッチスクリーン３５や上位装置等に出力するＤＳＰ、また比較部によるサイズと比較基準長との比較結果に応じて、トレイに対する媒体の載上向きをガイドする媒体載上ガイドデータをタッチスクリーン３５や上位装置等に出力するハードウェア回路構成のガイドデータ出力回路等のように、この他種々の構成のガイドデータ出力部を広く適用することができる。
【０１１３】
（３−１１）他の実施の形態１１
さらに上述した第１及び第２の実施の形態においては、トレイに設けられた所定の媒体センサとして、図１乃至図９について上述した載上原稿センサ２７及び載上記録紙センサ７８を適用する場合について述べた。しかしながら本発明は、これに限らず、原稿幅センサ３８及び記録紙幅センサ８２等のように、この他種々の構成の媒体センサを広く適用することができる。
【０１１４】
（３−１２）他の実施の形態１２
さらに上述した第１及び第２の実施の形態においては、ガイドデータ出力部により媒体載上ガイドデータが出力された後、媒体の処理が指示されると、媒体センサを介して、トレイに媒体が載上されているか否かを検出する検出する検出部として、図１乃至図９について上述した制御部３０、８０を適用する場合について述べた。しかしながら本発明は、これに限らず、ＤＳＰや、ガイドデータ出力部により媒体載上ガイドデータが出力された後、媒体の処理が指示されると、媒体センサを介して、トレイに媒体が載上されているか否かを検出するハードウェア回路構成の検出回路等のように、この他種々の構成の検出部を広く適用することができる。
【０１１５】
（３−１３）他の実施の形態１３
さらに上述した第１及び第２の実施の形態においては、媒体の表面から画像を読み取る読取部として、図１乃至図９について上述したイメージセンサ１２を適用する場合について述べた。しかしながら本発明は、これに限らず、撮像素子のように、この他種々の構成の読取部を広く適用することができる。
【産業上の利用可能性】
【０１１６】
本発明は、複合機、プリンタ、スキャナ、ＭＦＰ、ファクシミリ等の媒体処理装置、画像読取装置及び画像形成装置に利用することができる。
【符号の説明】
【０１１７】
１、５０……複合機、２、５１……プリンタ部、４……スキャナ部、５……定形外原稿、７……自動原稿供給部、１２……イメージセンサ、１６……原稿搬送部、１７……原稿トレイ、２７……載上原稿センサ、３０、８０……制御部、３４……オペレーションパネル、３５……タッチスクリーン、３６……操作キー、３８……原稿幅センサ、５２……画像形成部、５３……定形外記録紙、６１……第１記録紙搬送部、６２……第２記録紙搬送部、６３……ＭＰトレイ、７８……載上記録紙センサ、８２……記録紙幅センサ、ＲＴ１……原稿載上ガイド処理手順、ＲＴ２……記録紙載上ガイド処理手順。
【図１】
2017098786.tif 000003
【図２】
2017098786.tif 000004
【図３】
2017098786.tif 000005
【図４】
2017098786.tif 000006
【図５】
2017098786.tif 000007
【図６】
2017098786.tif 000008
【図７】
2017098786.tif 000009
【図８】
2017098786.tif 000010
【図９】
2017098786.tif 000011
【図１０】
2017098786.tif 000012
【図１１】
2017098786.tif 000013